(57)【要約】      （修正有）【課題】ノイズキャンセリングシステムにおいて接続するヘッドフォンを自由に変更できるようにする。【解決手段】ヘッドフォン装置には、電極の有無や凹凸の有無など物理的な構造パターンにより識別情報を記憶させておく。信号処理装置側では、上記物理的な構造パターンに応じた電気信号を検出する構造パターン検出手段を備えておく。上記識別情報と、該識別情報により特定されるヘッドフォン装置に対応する信号処理手段の信号処理特性との対応関係を表す対応関係情報を格納しておく。上記構造パターン検出手段により検出された電気信号に基づいて上記識別情報を取得し、上記対応関係情報に基づき、取得した識別情報に対応する信号処理特性を信号処理手段に設定する。これにより、ヘッドフォン装置の別を表す情報を自動的に取得することができ、該取得した識別情報に基づいて接続されたヘッドフォン装置に対応する信号処理特性を設定することができる。【選択図】図１１
2009200902.tif 000002
【特許請求の範囲】
【請求項１】
物理的な構造パターンにより識別情報が記憶されたヘッドフォン装置を接続可能とされた信号処理装置であって、
上記ヘッドフォン装置と接続されたときに上記物理的な構造パターンに応じた電気信号が検出されるようにして構成された構造パターン検出手段と、
上記構造パターン検出手段により検出された電気信号に基づいて上記識別情報を取得する識別情報取得手段と、
上記ヘッドフォン装置に対して供給される信号に所要の信号特性を与えるようにして信号処理を行う信号処理手段と、
上記ヘッドフォン装置に記憶される識別情報と、該識別情報により特定されるヘッドフォン装置が接続された場合に上記信号処理手段に設定されるべき信号処理特性との対応関係を表す対応関係情報が記憶された記憶手段と、
上記対応関係情報に基づき、上記識別情報取得手段により取得された上記識別情報に対応する信号処理特性が上記信号処理手段に設定されるように制御を行う制御手段と、
を備えることを特徴とする信号処理装置。
【請求項２】
上記識別情報は、上記ヘッドフォン装置における上記信号処理装置との接続部分の所定位置における電極の有無としての物理的構造パターンにより記憶されており、
上記構造パターン検出手段は、
上記ヘッドフォン装置と接続されたときに上記所定位置と接するように設けられた電極を備えることで、上記構造パターンに応じた電気信号が検出されるように構成されている、
ことを特徴とする請求項１に記載の信号処理装置。
【請求項３】
上記識別情報は、上記ヘッドフォン装置における上記信号処理装置との接続部分の所定位置における導電材の有無としての物理的構造パターンにより記憶されており、
上記構造パターン検出手段は、
上記ヘッドフォン装置と接続されたときに双方が上記所定位置と接するようにして設けられた２つの電極を備えることで、上記構造パターンに応じた電気信号が検出されるように構成されている、
ことを特徴とする請求項１に記載の信号処理装置。
【請求項４】
上記識別情報は、上記ヘッドフォン装置における上記信号処理装置との接続部分の所定位置における凹部又は凸部の有無としての物理的構造パターンにより記憶されており、
上記構造パターン検出手段は、
上記ヘッドフォン装置と接続されたときに上記所定位置と対向する位置に対して設けられて上記凹部又は上記凸部に応じてＯＮ／ＯＦＦするようにされたスイッチを備えることで、上記構造パターンに応じた電気信号が検出されるように構成されている、
ことを特徴とする請求項１に記載の信号処理装置。
【請求項５】
上記ヘッドフォン装置には、上記信号処理装置からの所定レベルによる電圧供給を受ける電圧供給ラインが設けられており、上記識別情報は、上記電圧供給ラインに対して接続された抵抗素子の抵抗値の違いとしての物理的構造パターンにより記憶されていると共に、
上記構造パターン検出手段は、
上記ヘッドフォン装置と接続されたときに上記抵抗素子と接続される端子部を備えることで、上記構造パターンに応じた電気信号が検出されるように構成されている、
ことを特徴とする請求項１に記載の信号処理装置。
【請求項６】
上記識別情報は、上記ヘッドフォン装置における上記信号処理装置との接続部分の所定位置における導光材の有無としての物理的構造パターンにより記憶されており、
上記構造パターン検出手段は、
上記ヘッドフォン装置と接続されたときに上記所定位置と対向するようにして設けられた発光素子と受光素子とを備えることで、上記構造パターンに応じた電気信号が検出されるように構成されている、
ことを特徴とする請求項１に記載の信号処理装置。
【請求項７】
上記識別情報は、上記ヘッドフォン装置における上記信号処理装置との接続部分の所定位置における凹凸の個数としての物理的構造パターンにより記憶されており、
上記構造パターン検出手段は、
上記ヘッドフォン装置が接続される際に上記所定位置と対向する位置に対して設けられ、上記凹凸に応じてＯＮ／ＯＦＦするようにされたスイッチを備えることで、上記構造パターンに応じた電気信号が検出されるように構成されている、
ことを特徴とする請求項１に記載の信号処理装置。
【請求項８】
上記ヘッドフォン装置はマイクロフォンを備え、
上記信号処理手段は、上記マイクロフォンから供給される信号にノイズキャンセリングのための信号特性を与えるようにして信号処理を行う、
ことを特徴とする請求項１に記載の信号処理装置。
【請求項９】
物理的な構造パターンにより識別情報が記憶されたヘッドフォン装置と接続されたときに、上記物理的な構造パターンに応じた電気信号が検出されるようにして構成された構造パターン検出手段と、上記ヘッドフォン装置に対して供給される信号に所要の信号特性を与えるようにして信号処理を行う信号処理手段とを備えた信号処理装置における信号処理方法であって、
上記構造パターン検出手段により検出された電気信号に基づいて上記識別情報を取得する識別情報取得ステップと、
上記ヘッドフォン装置に記憶される識別情報と、該識別情報により特定されるヘッドフォン装置が接続された場合に上記信号処理手段に設定されるべき信号処理特性との対応関係を表す対応関係情報に基づき、上記識別情報取得ステップにより取得した上記識別情報に対応する信号処理特性が上記信号処理手段に設定されるように制御を行う制御ステップと、
を備えることを特徴とする信号処理方法。
【発明の詳細な説明】
【技術分野】
【０００１】
本発明は、使用者の耳に装着されて音響再生を行うヘッドフォン装置と接続可能に構成された信号処理装置と、信号処理方法とに関する。
【背景技術】
【０００２】
【特許文献１】特開平３−２１４８９２号公報
【特許文献２】特開平３−９６１９９号公報
【０００３】
ヘッドフォン装置により楽曲などのコンテンツの音声を再生しているときに聴こえてくる外部のノイズをアクティブにキャンセルするようにされた、ヘッドフォン装置対応のいわゆるノイズキャンセリングシステムが知られ、また、実用化されている。このようなノイズキャンセリングシステムとしては、大別してフィードバック方式とフィードフォワード方式との２つの方式が知られている。
【０００４】
例えば、上記特許文献１には、ユーザの耳に装着される音響管内においてイヤホン（ヘッドフォン）ユニットの近傍に設けたマイクロフォンユニットにより収音した音響管内部の騒音（ノイズ）を位相反転させた音声信号を生成し、これをイヤホンユニットから音として出力させることにより、外部ノイズを低減させるようにした構成、つまり、フィードバック方式に対応したノイズキャンセリングシステムの構成が記載されている。
また、上記特許文献２には、その基本構成として、ヘッドフォン装置外筐に取り付けたマイクロフォンにより収音して得た音声信号について所定の伝達関数による特性を与えてヘッドフォン装置から出力させるようにした構成、つまりフィードフォワード方式に対応したノイズキャンセリングシステムの構成が記載されている。
【０００５】
これらフィードフォワード方式、フィードバック方式の何れを採用する場合にも、ノイズキャンセリングのために設定されるフィルタ特性は、例えば外部のノイズ源からの音声がユーザの耳位置（ノイズキャンセル点）に到達するまでの空間伝達関数や、マイクアンプ・ヘッドフォンアンプの特性などの各種の伝達関数に基づき、ユーザ耳位置でノイズがキャンセルされるようにして設定されるものとなる。
このとき、上記空間伝達関数としては、ヘッドフォン装置の音響管（ハウジング部）の構造などにより大きく左右されるものとなることから、ノイズキャンセリングのためのフィルタ特性は、同一構造を有する１種類のヘッドフォン装置を想定して設定するものとなる。換言すれば、ノイズキャンセリングシステムにおいて、フィルタ特性は、ヘッドフォン装置に対して１対１の関係で設定されるべきものとなっている。
【０００６】
現状において、ノイズキャンセリングのためのフィルタはアナログ回路により構成されている。このため、現状のノイズキャンセリングシステムにおいては、フィルタ（信号処理装置）とヘッドフォン装置とは予め想定される１対１の組み合わせでしか使用することができず、例えばノイズキャンセリング機能を有さない音響再生システムで行われているように、ヘッドフォン装置を任意のものに変更するといったことができないものとされている。
確認のために述べておくと、フィルタをアナログ回路で構成する場合には、フィルタ特性の変更にあたりそれぞれ別々のフィルタ特性を有するフィルタ回路を複数設けておき、それらをスイッチングしてフィルタ特性の変更を行うことになる。しかしながら、そのような構成は回路実装面積の点などから非現実的であり、結果として現状においては、信号処理装置とヘッドフォン装置は想定される１対１の組み合わせでしか使用できないものとなっている。
【発明の開示】
【発明が解決しようとする課題】
【０００７】
上記のような現状に対し、ノイズキャンセリングシステムにおいても、ヘッドフォンを他の構造を有する別機種に変更したいという要望が強くある。例えば、インナータイプのヘッドフォン装置から耳覆いタイプのヘッドフォン装置に変更するなどといったことが挙げられる。或いは、ＦＦ方式対応ヘッドフォンとＦＢ方式対応ヘッドフォンとの間で変更を行うといったことも想定され得る。
【０００８】
フィルタ特性を可変的に設定するための構成として、先に本出願人は、ノイズキャンセリングフィルタをデジタル回路で実現する構成を提案している。すなわち、ノイズキャンセリングフィルタを例えばＦＩＲ（Finite Impulse Response）フィルタなどのデジタルフィルタで実現するものである。このようなデジタルフィルタを用いたノイズキャンセリングシステムとすることで、フィルタ特性の変更はフィルタ構成やフィルタ係数の変更を行うことで実現することができ、アナログ回路で構成する場合よりも簡易な構成とすることができる。
【０００９】
ここで、使用するヘッドフォンに応じてフィルタ特性を可変的に設定するとしたときには、当然のことながら実際に使用されるヘッドフォンの機種（種類）が何れに該当するかを識別する必要がある。
このような識別にあたっては、例えば使用するヘッドフォンの別の情報をユーザ操作に基づき取得することが考えられる。しかしながら、ユーザの入力情報に基づく識別を行う場合には、必然的にユーザに操作負担を強いるものとなり、利便性に欠けるシステムとなってしまう。
また、このようにユーザの操作入力に基づく識別を行う場合には、ユーザの勘違い等で実際に使用されるヘッドフォンとは別のヘッドフォンが選択されてしまう可能性もあり、その場合、適正なノイズキャンセリング効果を得ることができなくなってしまうといった問題が生じる。
【課題を解決するための手段】
【００１０】
そこで本発明は上記した課題を考慮して、信号処理装置として以下のように構成することとした。
つまり、本発明の信号処理装置は、物理的な構造パターンにより識別情報が記憶されたヘッドフォン装置を接続可能とされた信号処理装置であって、上記ヘッドフォン装置と接続されたときに上記物理的な構造パターンに応じた電気信号が検出されるようにして構成された構造パターン検出手段を備える。
また、上記構造パターン検出手段により検出された電気信号に基づいて上記識別情報を取得する識別情報取得手段を備える。
また、上記ヘッドフォン装置に対して供給される信号に所要の信号特性を与えるようにして信号処理を行う信号処理手段を備える。
また、上記ヘッドフォン装置に記憶される識別情報と、該識別情報により特定されるヘッドフォン装置が接続された場合に上記信号処理手段に設定されるべき信号処理特性との対応関係を表す対応関係情報が記憶された記憶手段を備える。
さらに、上記対応関係情報に基づき、上記識別情報取得手段により取得された上記識別情報に対応する信号処理特性が上記信号処理手段に設定されるように制御を行う制御手段
を備えるものである。
【００１１】
上記構成によれば、上記ヘッドフォン装置が接続されることに応じて、該ヘッドフォン装置に記憶された識別情報を信号処理装置側が自動的に取得することになる。すなわち、ユーザ操作によらずヘッドフォン装置の別を表す情報を自動で取得することができる。
そして、このように取得した識別情報に基づき、信号処理手段の信号処理特性を該識別情報に対応する特性に設定（変更）するようにしている。これにより、使用するヘッドフォン装置の別に応じた適切な信号処理特性を装置側で自動的に設定することができる。
【発明の効果】
【００１２】
本発明によれば、ヘッドフォン装置の別を表す情報（識別情報）をユーザ操作によらず自動的に取得することができる。そして、このように取得した識別情報に基づき、信号処理手段の信号処理特性を該識別情報（接続されたヘッドフォン装置）に対応して定められた特性に設定（変更）することができる。
つまり本発明によれば、使用するヘッドフォン装置の別に応じた適切な信号処理特性を装置側で自動的に設定することができ、これによってユーザに操作負担を負わせることのない優れたシステムの実現が図られる。また、これと共に、ユーザの操作入力ミスなどにより誤った信号処理特性が設定されてしまい、適正な音響再生を行うことができなくなってしまうといった事態の発生も効果的に防止することができる。
【００１３】
また、本発明をノイズキャンセリングシステムに適用すれば、ヘッドフォン装置を自由に変更することのできる優れたノイズキャンセリングシステムの実現を図ることができる。
【発明を実施するための最良の形態】
【００１４】
以下、本発明を実施するための最良の形態（以下、実施の形態という）について説明していく。
実施の形態では、信号処理装置とヘッドフォン装置とを備えて構成される音響再生システムとして、ノイズキャンセリングシステムを例に挙げる。そこで、以下では先ず、本実施の形態としてのシステムの構成を説明するのに先立ち、ノイズキャンセリングシステムの基本概念について説明を行っておく。
【００１５】
＜ノイズキャンセリングシステムの基本概念＞
ノイズキャンセリングシステムの基本的な方式としては、フィードバック（FeedBack：ＦＢ）方式によりサーボ制御を行うようにされたものとフィードフォワード（FeedForward：ＦＦ）方式がそれぞれ知られている。先ず、図１により、ＦＢ方式について説明する。
【００１６】
図１（ａ）には、ヘッドフォン装着者（ユーザ）の右耳（Ｌ（左），Ｒ（右）による２チャンネルステレオにおけるＲチャンネル）側における、ＦＢ方式によるノイズキャンセリングシステムのモデル例を模式的に示している。
ここでのヘッドフォン装置のＲチャンネル側の構造としては、先ず、右耳に対応するハウジング部２０１内において、ヘッドフォン装置を装着したユーザ５００の右耳に対応する位置にドライバ２０２を設けるようにされる。ドライバ２０２は振動板を備えたいわゆるスピーカと同義のものであり、音声信号の増幅出力により駆動（ドライブ）されることで音声を空間に放出するようにして出力するものである。
【００１７】
そのうえで、ＦＢ方式としては、ハウジング部２０１内においてユーザ５００の右耳に近いとされる位置に対してマイクロフォン２０３を設けるようにされる。このようにして設けられるマイクロフォン２０３によっては、ドライバ２０２から出力される音声と、外部のノイズ音源３０１からハウジング部２０１内に侵入して右耳に到達しようとする音声、つまり右耳にて聴き取られる外部音声であるハウジング内ノイズ３０２とが収音されることになる。なお、ハウジング内ノイズ３０２が発生する原因としては、ノイズ音源３０１が例えばハウジング部のイヤーパッドなどの隙間から音圧として漏れてきたり、ヘッドフォン装置の筐体がノイズ音源３０１の音圧を受けて振動し、これがハウジング部内に伝達されてくることなどを挙げることができる。
そして、マイクロフォン２０３によって収音して得られた音声信号から、例えば外部音声の音声信号成分に対して逆特性となる信号など、ハウジング内ノイズ３０２がキャンセル（減衰、低減）されるようにするための信号（キャンセル用オーディオ信号）を生成し、この信号について、ドライバ２０２を駆動する必要音の音声信号（オーディオ音源）に合成させるようにして帰還させる。これによりハウジング部２０１内における右耳に対応するとされる位置に設定されたノイズキャンセル点４００においては、ドライバ２０１からの出力音声と外部音声の成分とが合成されることによって外部音声がキャンセルされた音が得られ、ユーザの右耳では、この音を聴き取ることになる。そして、このような構成を、Ｌチャンネル（左耳）側においても与えることで、通常のＬ，Ｒ２チャンネルステレオに対応するヘッドフォン装置としてのノイズキャンセリングシステムが得られることになる。
【００１８】
図１（ｂ）のブロック図は、ＦＢ方式によるノイズキャンセリングシステムの基本的なモデル構成例を示している。なお、この図１（ｂ）にあっては、図１（ａ）と同様にして、Ｒチャンネル（右耳）側のみに対応した構成が示されているものであり、また、Ｌチャンネル（左耳）側に対応しても同様のシステム構成が備えられるものである。また、この図において示されるブロックは、ＦＢ方式によるノイズキャンセリングシステムの系における特定の回路部位、回路系などに対応する１つの特定の伝達関数を示すもので、ここでは伝達関数ブロックと呼ぶことにする。各伝達関数ブロックにおいて示されている文字が、その伝達関数ブロックの伝達関数を表しているものであり、音声信号(若しくは音声)は、伝達関数ブロックを経由するごとに、そこに示される伝達関数が与えられることになる。
【００１９】
先ず、ハウジング部２０１内に設けられるマイクロフォン２０３により収音される音声は、このマイクロフォン２０３と、マイクロフォン２０３にて得られた電気信号を増幅して音声信号を出力するマイクロフォンアンプに対応する伝達関数ブロック１０１（伝達関数Ｍ）を介した音声信号として得られることになる。この伝達関数ブロック１０１を経由した音声信号は、ＦＢ(FeedBack)フィルタ回路に対応する伝達関数ブロック１０２(伝達関数−β)を介して合成器１０３に入力される。ＦＢフィルタ回路は、マイクロフォン２０３により収音して得られた音声信号から、上述のキャンセル用オーディオ信号を生成するための特性が設定されたフィルタ回路であり、その伝達関数が−βとして表されているものである。
【００２０】
また、楽曲などのコンテンツとされるオーディオ音源の音声信号Ｓは、ここでは、イコライザによるイコライジングが施されるものとしており、このイコライザに対応する伝達関数ブロック１０７（伝達関数Ｅ）を介して合成器１３に入力される。
なお、このように音声信号Ｓにイコライジングを施すのは、ＦＢ方式では、ノイズ収音用のマイクロフォン２０３がハウジング部２０１内に設けられ、ノイズ音のみでなくドライバ２０２からの出力音声も収音されることに由来する。すなわち、このようにマイクロフォン２０３が音声信号Ｓの成分も収音することで、ＦＢ方式では音声信号Ｓに対しても伝達関数−βが与えられるものとなっており、このことで音声信号Ｓの音質劣化を招くこと虞がある。そこで、予め伝達関数−βによる音質劣化を抑制するために、イコライジングにより音声信号Ｓに所要の信号特性を与えるようにしているものである。
【００２１】
合成器１０３では、上記の２つの信号を加算により合成する。このようにして合成された音声信号は、パワーアンプにより増幅され、ドライバ２０２に駆動信号として出力されることで、ドライバ２０２から音声として出力される。つまり、合成器１０３からの音声信号は、パワーアンプに対応する伝達関数ブロック１０４（伝達関数Ａ）を経由し、さらにドライバ２０２に対応する伝達関数ブロック１０５（伝達関数Ｄ）を経由して音声として空間内に放出される。なお、ドライバ２０２の伝達関数Ｄは、例えばドライバ２０２の構造などにより決まる。
【００２２】
そして、ドライバ２０２にて出力された音声は、ドライバ２０２からノイズキャンセル点４００までの空間経路(空間伝達関数)に対応する伝達関数ブロック１０６（伝達関数Ｈ）を経由するようにしてノイズキャンセル点４００に到達し、その空間にてハウジング内ノイズ３０２と合成されることになる。そして、ノイズキャンセル点４００から例えば右耳に到達するものとされる出力音の音圧Ｐとしては、ハウジング部２０１の外部から侵入してくるノイズ音源３０１の音がキャンセルされるものとなる。
【００２３】
ここで、この図１（ｂ）に示されるノイズキャンセリングシステムのモデルの系にあって、上記出力音の音圧Ｐは、ハウジング内ノイズ３０２をＮ、オーディオ音源の音声信号をＳとしたうえで、各伝達関数ブロックにおいて示される伝達関数「Ｍ、−β、Ｅ、Ａ、Ｄ、Ｈ」を利用して、次の[式１]のようにして表されるものとなる。
【数１】
2009200902.tif 000003
この[式１]において、ハウジング内ノイズ３０２であるＮに着目すると、Ｎは、１ ／（１＋ＡＤＨＭβ）で表される係数により減衰されることがわかる。
【００２４】
ただし、[式１]の系がノイズ低減対象の周波数帯域にて発振することなく、安定して動作するためには、次の[式２]が成立していることが必要となる。
【数２】
2009200902.tif 000004
【００２５】
一般的なこととして、ＦＢ方式によるノイズキャンセリングシステムにおける各伝達関数の積の絶対値が、
１＜＜｜ＡＤＨＭβ｜
で表されることとと、古典制御理論におけるNyquistの安定性判別と合わせると、[式２]については下記のように解釈できる。
ここでは、図１（ｂ）に示されるノイズキャンセリングシステムの系において、ハウジング内ノイズ３０２であるＮに関わるループ部分を一箇所切断して得られる、（−ＡＤＨＭβ）で表される系を考える。この系を、ここでは「オープンループ」ということにする。一例として、マイクロフォン及びマイクロフォンアンプに対応する伝達関数ブロック１０１と、ＦＢフィルタ回路に対応する伝達関数ブロック１０２との間を切断すべき箇所とすれば、上記のオープンループを形成できる。
【００２６】
上記のオープンループは、例えば図２のボード線図により示される特性を持つものとされる。このボード線図においては、横軸に周波数が示され、縦軸においては、下半分にゲインが示され、上半分に位相が示される。
このオープンループを対象とした場合、Nyquistの安定性判別に基づき、[式２]を満足するためには、下記の２つの条件を満たす必要がある。
条件１：位相０ｄｅｇ．（０ 度）の点を通過するとき、ゲインは０ｄＢより小さくなくてはならない。
条件２：ゲインが０ｄＢ以上であるとき、位相０ｄｅｇ．の点を含んではいけない。
【００２７】
上記２つの条件１、２を満たさない場合、ループには正帰還がかかることとなって、発振（ハウリング）を生じさせる。図２においては、上記の条件１に対応する位相余裕Ｐａ、Ｐｂと、条件２に対応するゲイン余裕Ｇａ、Ｇｂが示されている。これらの余裕が小さいと、ノイズキャンセリングシステムを適用したヘッドフォン装置を使用するユーザの各種の個人差やヘッドフォン装置を装着したときの状態のばらつきなどにより、発振の可能性が増加することになる。
例えば図２にあっては、位相０ｄｅｇ．の点を通過するときのゲインとしては０ｄＢより小さくなっており、これに応じてゲイン余裕Ｇａ 、Ｇｂが得られている。しかしながら、例えば仮に位相０ｄｅｇ．の点を通過するときのゲインが０ｄＢ以上となってゲイン余裕Ｇａ 、Ｇｂが無くなる、あるいは位相０ｄｅｇ．の点を通過するときのゲインが０ｄＢ未満であるものの、０ｄＢに近く、ゲイン余裕Ｇａ 、Ｇｂが小さくなるような状態となると、発振を生じる、あるいは発振の可能性が増加することになる。
同様にして、図２にあっては、ゲインが０ｄＢ以上であるときには位相０ｄｅｇ．の点を通過しないようにされており、位相余裕Ｐａ、Ｐｂが得られている。しかしながら、例えばゲインが０ｄＢ以上であるときに位相０ｄｅｇ．の点を通過してしまっている。或いは、位相０ｄｅｇ．に近くなり位相余裕Ｐａ、Ｐｂが小さくなるような状態となると、発振を生じる、あるいは発振の可能性が増加することになる。
【００２８】
次に、図１（ｂ）に示したＦＢ方式のノイズキャンセリングシステムの構成において、上述の外部音声（ノイズ）のキャンセル（低減）機能に加えて、必要な音（必要音）をヘッドフォン装置により再生出力する場合について説明する。
ここでは、必要音として、例えば楽曲などのコンテンツとしてのオーディオ音源の音声信号Ｓが示されている。
なお、この音声信号Ｓとしては、音楽的、又はこれに準ずる内容のもののほかにも考えられる。例えば、ノイズキャンセリングシステムを補聴器などに適用することとした場合には、周囲の必要音を収音するために筐体外部に設けられるマイクロフォン（ノイズキャンセルの系に備えられるマイクロフォン２０３とは異なる）により収音して得られた音声信号となる。また、いわゆるヘッドセットといわれるものに適用する場合には、電話通信などの通信により受信した相手方の話し声などの音声信号となる。つまり、音声信号Ｓとは、ヘッドフォン装置の用途などに応じて再生出力すべきことが必要となる音声一般に対応したものである。
【００２９】
先ず、先の[式１]において、オーディオ音源の音声信号Ｓに着目する。そして、イコライザに対応する伝達関数Ｅとして、次の[式３]により表される特性を有するものとして設定したこととする。
【数３】
2009200902.tif 000005
なお、この伝達特性Ｅは、周波数軸でみた場合に、上記オープンループに対してほぼ逆特性（１＋オープンループ特性）となっている。そして、この[式３]により示される伝達関数Ｅの式を、[式１]に代入すると、図１（ｂ）に示されるノイズキャンセリングシステムのモデルにおける出力音の音圧Ｐについては、次の[式４]のようにして表すことができる。
【数４】
2009200902.tif 000006
[式４]におけるＡＤＨＳの項において示される伝達関数Ａ、Ｄ、Ｈのうち、伝達関数Ａはパワーアンプに対応し、伝達関数Ｄはドライバ２０２に対応し、伝達関数Ｈはドライバ２０２からノイズキャンセル点４００までの経路の空間伝達関数に対応するので、ハウジング部２０１内のマイクロフォン２０３の位置が耳に対して近接した位置にあるとすれば、音声信号Ｓについては、ノイズキャンセル機能を有さないようにした通常のヘッドフォンと同等の特性が得られることがわかる。
【００３０】
次に、ＦＦ方式によるノイズキャンセリングシステムについて説明する。
図３（ａ）は、ＦＦ方式によるノイズキャンセリングシステムのモデル例として、先の図１（ａ）と同様にＲチャンネルに対応する側の構成を示している。
ＦＦ方式では、ハウジング部２０１の外側に対して、ノイズ音源３０１から到達してくるとされる音声が収音できるようにしてマイクロフォン２０３を設けるようにされる。そして、このマイクロフォン２０３により収音した外部音声、つまりノイズ音源３０１から到達してきたとされる音声を収音して音声信号を得て、この音声信号について適切なフィルタリング処理を施して、キャンセル用オーディオ信号を生成するようにされる。そして、このキャンセル用オーディオ信号を、必要音の音声信号と合成する。つまり、マイクロフォン２０３の位置からドライバ２０２の位置までの音響特性を電気的に模擬したキャンセル用オーディオ信号を必要音の音声信号に対して合成するものである。
そして、このようにしてキャンセル用オーディオ信号と必要音の音声信号とが合成された音声信号をドライバ２０２から出力させることで、ノイズキャンセル点４００において得られる音としては、ノイズ音源３０１からハウジング部２０１内に侵入してきた音がキャンセルされたものが聴こえるようになる。
【００３１】
図３（ｂ）は、ＦＦ方式によるノイズキャンセリングシステムの基本的なモデル構成例として、一方のチャンネル（Ｒチャンネル）に対応した側の構成を示している。
先ず、ハウジング部２０１の外側に設けられるマイクロフォン２０３により収音される音は、マイクロフォン２０３及びマイクロフォンアンプに対応する伝達関数Ｍを有する伝達関数ブロック１０１を介した音声信号として得られる。
次に、上記伝達関数ブロック１０１を経由した音声信号は、ＦＦ(FeedForward)フィルタ回路に対応する伝達関数ブロック１０２(伝達関数−α)を介して合成器１０３に入力される。ＦＦフィルタ回路１０２は、マイクロフォン２０３により収音して得られた音声信号から、上記したキャンセル用オーディオ信号を生成するための特性が設定されたフィルタ回路であり、その伝達関数が−αとして表されているものである。
【００３２】
また、ここでのオーディオ音源の音声信号Ｓは、直接、合成器１０３に入力するものとしている。
合成器１０３により合成された音声信号は、パワーアンプにより増幅され、ドライバ２０２に駆動信号として出力されることで、ドライバ２０２から音声として出力されることになる。つまり、この場合にも、合成器１０３からの音声信号は、パワーアンプに対応する伝達関数ブロック１０４（伝達関数Ａ）を経由し、さらにドライバ２０２に対応する伝達関数ブロック１０５（伝達関数Ｄ）を経由して音声として空間内に放出される。
そして、ドライバ２０２にて出力された音声は、ドライバ２０２からノイズキャンセル点４００までの空間経路(空間伝達関数)に対応する伝達関数ブロック１０６（伝達関数Ｈ）を経由してノイズキャンセル点４００に到達し、ここでハウジング内ノイズ３０２と空間で合成されることになる。
【００３３】
また、ノイズ音源３０１から発せられた音がハウジング部２０１内に侵入してノイズキャンセル点４００に到達するまでには、伝達関数ブロック１１０として示すように、ノイズ音源３０１からノイズキャンセル点４００までの経路に対応する伝達関数（空間伝達関数Ｆ）が与えられる。その一方で、マイクロフォン２０３では、外部音声であるノイズ音源３０１から到達してくるとされる音声を収音することになるが、このとき、ノイズ音源３０１から発せられた音（ノイズ）がマイクロフォン２０３に到達するまでには、伝達関数ブロック１１１として示すように、ノイズ音源３０１からマイクロフォン２０３までの経路に対応する伝達関数（空間伝達関数Ｇ）が与えられることになる。伝達関数ブロック１０２に対応するＦＦフィルタ回路としては、上記の空間伝達関数Ｆ，Ｇも考慮した上での伝達関数−αが設定されるものである。
これにより、ノイズキャンセル点４００から例えば右耳に到達するものとされる出力音の音圧Ｐとしては、ハウジング部２０１の外部から侵入してくるノイズ音源３０１の音がキャンセルされるものとなる。
【００３４】
図３（ｂ）に示したＦＦ方式によるノイズキャンセリングシステムのモデルの系にあって、上記出力音の音圧Ｐは、ノイズ音源３０１において発せられるノイズをＮ、オーディオ音源の音声信号をＳとしたうえで、各伝達関数ブロックにおいて示される伝達関数「Ｍ、−α、Ｅ、Ａ、Ｄ、Ｈ」を利用して、次の[式５]で表されるものとなる。
【数５】
2009200902.tif 000007
また、理想的には、ノイズ音源３０１からキャンセルポイント４００までの経路の伝達関数Ｆは、次の[式６]のようにして表すことができる。
【数６】
2009200902.tif 000008
次に、[式６]を[式５]に代入すると、右辺の第１項と第２項とが相殺されることとなる。この結果から、出力音の音圧Ｐは、以下の[式７]のようにして表すことができる。
【数７】
2009200902.tif 000009
【００３５】
このようにして、ノイズ音源３０１から到達してくるとされる音はキャンセルされ、オーディオ音源の音声信号だけが音声として得られることが示される。つまり、理論上、ユーザの右耳においては、ノイズがキャンセルされた音声が聴こえることになる。ただし、現実には、[式６]が完全に成立するような伝達関数を与えることのできる、完全なＦＦフィルタ回路を構成することは非常に困難である。また、人による耳の形状であるとか、ヘッドフォン装置の装着の仕方についての個人差が比較的大きく、ノイズの発生位置とマイク位置との関係の変化などは、特に中高域の周波数帯域についてのノイズ低減効果に影響を与えることが知られている。このために、中高域に関しては、アクティブなノイズ低減処理を控え、主として、ヘッドフォン装置の筐体の構造などに依存したパッシブな遮音をすることがしばしば行われる。
また、確認のために述べておくと、[式６]は、ノイズ音源３０１から耳までの経路の伝達関数を、伝達関数−αを含めた電気回路にて模倣することを意味している。
【００３６】
また、図３（ａ）に示したＦＦ方式のノイズキャンセリングシステムでは、マイクロフォン２０３をハウジングの外側に設けることから、キャンセルポイント４００については、図１（ａ）のＦＢ方式のノイズキャンセリングシステムと異なり、聴取者の耳位置に対応させるようにしてハウジング部２０１にて任意に設定できる。しかし通常、伝達関数−αは固定的であり、設計段階においては、何らかのターゲット特性を対象とした決めうちになる。その一方で、聴取者によって耳の形状などは異なる。このために、十分なノイズキャンセル効果が得られなかったり、ノイズ成分を非逆相で加算してしまって異音を生じさせたりするなどの現象が発生する可能性もある。
このようなことから、一般的にＦＦ方式は、発振する可能性が低く安定度は高いが、十分なノイズ減衰量（キャンセル量）を得るのは困難であるとされている。一方、ＦＢ方式は大きなノイズ減衰量が期待できる代わりに、系の安定性に注意が必要であるとされている。このように、ＦＢ方式とＦＦ方式とでは、それぞれに特徴を有するものである。
【００３７】
＜実施の形態の音響再生システム＞
[信号処理装置の構成]
図４は、本発明の信号処理装置の一実施形態としての、オーディオプレイヤ１の内部構成を示したブロック図である。
このオーディオプレイヤ１は、後述するヘッドフォン２０として、種々のタイプのヘッドフォン装置に対応可能に構成されている。ここで、本例のオーディオプレイヤ１が対応するヘッドフォン装置のタイプについて、次の図５に示しておく。
【００３８】
この図５に示されるように、本例のオーディオプレイヤ１は、（１）インナーイヤータイプで且つＦＦ方式対応のタイプ（マイク外側）のヘッドフォン装置、（２）耳覆いタイプで且つＦＢ方式対応のタイプ（マイク内側）のヘッドフォン装置、（３）耳載せタイプで且つＦＦ方式対応のタイプのヘッドフォン装置、（４）ネックバンドタイプで且つＦＢ方式対応のタイプのヘッドフォン装置に対応可能とされている。
この場合、オーディオプレイヤ１が対応可能なヘッドフォン装置に対しては、そのヘッドフォン装置のタイプを識別するためのＩＤが予め定められており、図のように（１）のタイプのヘッドフォン装置にはＩＤ：０が、（２）のタイプのヘッドフォン装置にはＩＤ：１が、（３）のタイプのヘッドフォン装置にはＩＤ：２が、（４）のタイプのヘッドフォン装置にはＩＤ：３がそれぞれ割り与えられている。
【００３９】
説明を図４に戻す。
図１において、オーディオプレイヤ１には、ストレージ部２が備えられる。このストレージ部２は、オーディオデータを始めとした各種データの保存に用いられる。
具体的な構成としては、例えばフラッシュメモリなどの固体メモリに対するデータの書き込み（記録）／読み出しを行うように構成されても良いし、例えばＨＤＤ（Hard Disk Drive）により構成されてもよい。
また内蔵の記録媒体ではなく、可搬性を有する記録媒体、例えば固体メモリを内蔵したメモリカード、ＣＤ（Compact Disc）やＤＶＤ（Digital Versatile Disc）などの光ディスク、光磁気ディスク、ホログラムメモリなどの記録媒体に対応するドライブ装置などとして構成することもできる。
もちろん、固体メモリやＨＤＤ等の内蔵タイプのメモリと、可搬性記録媒体に対するドライブ装置の両方が搭載されてもよい。
このストレージ部２は、システムコントローラ２の制御に基づいてオーディオデータその他の各種データについての書き込み／読み出しを行う。
【００４０】
ここで、上記ストレージ部２においては、オーディオデータが所定の音声圧縮符号化方式により圧縮符号化された状態で記憶されているとする。ストレージ部２で読み出された圧縮オーディオデータは、再生処理部３に供給される。再生処理部３はシステムコントローラ１０の制御に基づき、供給される圧縮オーディオデータについての伸張処理などの所定の再生処理（デコード処理）を施す。
再生処理部３で再生処理されたオーディオデータは、ＤＳＰ（Digital Signal Processor）４に供給される。
【００４１】
ＤＳＰ４は、例えば図中のメモリ９に格納されるプログラム（図示せず）に基づくデジタル信号処理を実行することで、図中に示される各機能ブロックとしての動作を実現する。
具体的に、ＤＳＰ４は、図中のイコライザ（ＥＱ）４ｂとして示す機能動作として、上記再生処理部３から供給されるオーディオデータについてイコライジング処理を施す。例えばイコライザ４ｂは、ＦＩＲ（Finite Impulse Response）フィルタなどで実現することができる。
また、図中のＮＣ（ノイズキャンセリング）フィルタ４ａとして示す機能動作として、後述するヘッドフォン装置２０に備えられるマイクロフォンMICにより検出されマイクアンプ７→Ａ／Ｄ変換器８を介して入力される収音信号（収音データ）に対し、ノイズキャンセリングのための信号特性を与える。このＮＣフィルタ４ａとしても、例えばＦＩＲフィルタなどで構成することができる。
さらに、図中の加算器４ｃとして示す機能動作として、上述したイコライザ４ｂにより処理されたオーディオデータと、上記ＮＣフィルタ４ａにより処理された収音データとを加算する。この加算器４ｃとしての加算処理により得られるデータを加算データと呼ぶ。該加算データは、上記ＮＣフィルタ４ａによりノイズキャンセリングのための特性が与えられた収音データが加算されたものとなる。従って、該加算データに基づく音声出力（音響再生）がオーディオプレイヤ１と接続されたヘッドフォン２０にて行われることで、該ヘッドフォン２０を装着したユーザにノイズ成分がキャンセルされたものとして知覚させることができる。
【００４２】
なお、本実施の形態の場合、ＤＳＰ４は、後述するようにしてシステムコントローラ１０から指示された識別情報に基づいてＮＣフィルタのフィルタ特性を可変的に設定する処理も行うものとなるが、このようなフィルタ特性の設定処理を行う機能ブロックについては図示を省略している。
【００４３】
また、上記ＤＳＰ４におけるイコライザ４ｂは、ＦＢ方式に対応するヘッドフォン２０が接続された際には、オーディオデータに対して音質劣化抑制のための特性を与えるためのフィルタ（図１のイコライザ１０７）として機能するものとなる。
なお、先の説明によれば、ＦＦ方式の場合にはオーディオデータに対するイコライジングは必須とはならないが、ＦＦ方式に対応するヘッドフォン２０が接続された場合、上記イコライザ４ｂとしては、例えば単に所要のイコライジング処理を行うものとして機能するものと考えればよい。
【００４４】
上記のようにしてＤＳＰ４で得られる加算データは、Ｄ／Ａ変換器５にてアナログ信号に変換された後、パワーアンプ６で増幅されてオーディオ出力端子Ｔｐ-Aに供給される。
【００４５】
また、オーディオプレイヤ１には、ヘッドフォン装置２０に備えられるマイクロフォンMICからの収音信号を入力するための、マイク入力端子Ｔｐ-Mが備えられる。このマイク入力端子Ｔｐ-Mを介して入力された収音信号は、マイクアンプ７で増幅後、Ｄ／Ａ変換器８にてデジタルデータに変換されてＤＳＰ４に供給される。
【００４６】
ここで、後の図７で詳述するように、実際においてオーディオプレイヤ１では、Ｌｃｈ（チャンネル）とＲｃｈの２ｃｈのオーディオ信号について扱うものとなる。従って実際において、上述したオーディオ出力端子Ｔｐ-A、マイク入力端子Ｔｐ-Mとしては、Ｌｃｈ用、Ｒｃｈ用のそれぞれ２つが設けられるものとなる。
また、これに対応して、ＤＳＰ４におけるＮＣフィルタ４ａ、イコライザ４ｂ、加算器４ｃとしても各ｃｈ用にそれぞれ２つずつ設けられ、またＤ／Ａ変換器５、パワーアンプ６としても各ｃｈ用にそれぞれ２つ設けられるものとなる。さらに、マイクアンプ７、Ａ／Ｄ変換器８としても各ｃｈ用の２つが設けられることになる。
【００４７】
システムコントローラ１０は、例えばＲＯＭ（Read Only Memory）、ＲＡＭ（Random Access Memory）、ＣＰＵ（Central Processing Unit）などを備えたマイクロコンピュータで構成され、例えば上記ＲＯＭ、又はメモリ９等の記憶手段に記憶されるプログラムに基づく各種の制御処理や演算を行うことで、オーディオプレイヤ１の全体制御を行う。
例えば、先に説明したストレージ部２に対するデータの書き込み／読み出し制御を行う。また、ストレージ部２、再生処理部３を制御してオーディオデータの再生開始／停止制御なども行う。
【００４８】
また、システムコントローラ１０は、図示するプラグ接続有無検出部１１からの出力に基づき、ヘッドフォン２０のプラグ部２０Ａ（後述する）がオーディオプレイヤ１のジャック部１Ａ（後述する）に対して接続されたか否かを判別（判定）する処理も行う。
ここで、上記接続有無検出部１１は、ヘッドフォン装置２０におけるプラグ部２０Ａがオーディオプレイヤ１側に形成されたジャック部１Ａに対して抜き差しされることに応じ、例えば上記プラグ部２０Ａの先端部によってＯＮ／ＯＦＦされるようにして設けられたメカスイッチとされる。この接続有無検出部１１は、上記プラグ部２０Ａが上記ジャック部１Ａに対して差し込まれた（つまり接続された）ことに応じてＯＮ信号、上記プラグ部２０Ａが抜かれた（接続が解除された）ことに応じてＯＦＦ信号を出力する。システムコントローラ１０は、上記接続有無検出部１１からのＯＮ／ＯＦＦ信号に基づきヘッドフォン装置２０の接続の有無を判定する。
【００４９】
また、特に本実施の形態の場合、システムコントローラ１０は、上述したＩＤ情報の記憶のためにヘッドフォン２０に与えられた物理的な構造パターンに応じた電気信号を得るように構成された構造パターン検出部１２と接続される。
システムコントローラ１０は、該構造パターン検出部１２からの検出信号を入力し、上記ＩＤを取得するための処理を実行するものとなるが、これについては後述する。
【００５０】
ここで、システムコントローラ１０による読み出しが可能なメモリ９には、ＩＤ−フィルタ特性対応情報９ａが格納されている。
このＩＤ−フィルタ特性対応情報９ａは、図６に示されるように、図５にて提示した、オーディオプレイヤ１が対応可能とされる各タイプのヘッドフォン２０ごとに付されるＩＤの情報と、そのＩＤにより特定されるタイプのヘッドフォン２０が接続された場合にＮＣフィルタ４ａにて設定されるべきとして定められたフィルタ特性の情報とが対応づけられた情報とされる。
図６に示されるように、ＩＤ：０に対してはｔｙｐｅ０としてのフィルタ特性情報が対応づけられる。以下同様に、ＩＤ：１に対してはｔｙｐｅ１、ＩＤ：２に対してはｔｙｐｅ２、ＩＤ：３に対してはｔｙｐｅ３としてのフィルタ特性情報が対応づけられている。
なお、確認のために述べておくと、フィルタ特性は、ＮＣフィルタ４ａとしての例えばＦＩＲフィルタの構成（段数など）や、フィルタ係数によって定まるものである。上記フィルタ特性情報としては、これらフィルタ構成やフィルタ係数についてのパラメータ情報が格納されることになる。
【００５１】
図４に戻り、システムコントローラ１０に対しては、外部通信インタフェース１３が接続される。この外部通信インタフェース１３は、例えばＵＳＢ（Universal Serial Bus）方式など所要のデータ通信方式に従って外部機器との間でデータ通信を行うように構成された通信インタフェース部であり、システムコントローラ１０の指示に基づき、図示するデータ通信端子Ｔｄを介して接続された外部機器（例えばパーソナルコンピュータなどの情報処理装置）との間でデータ通信を行う。
システムコントローラ１０は、当該外部通信インタフェース１３を介して得られた外部機器からの転送データを、ストレージ部２やメモリ９に対して記録させる。これにより、外部の例えばパーソナルコンピュータなどに格納されたオーディオデータをストレージ部２などに記録したり、或いはパーソナルコンピュータがネットワーク上からダウンロードした、オーディオプレイヤ１についてのアップロードプログラムなどのデータをメモリ９などに記録することが可能とされている。
【００５２】
また、システムコントローラ１０に対しては、表示部１４が接続される。表示部１４は例えば液晶ディスプレイ、有機ＥＬディスプレイなどの表示デバイスとされ、システムコントローラ１０からの指示に応じて所要の情報表示を行う。
【００５３】
[ヘッドフォン装置の内部構成]
図７は、ヘッドフォン２０の内部構成について示したブロック図である。
この図７においては、オーディオプレイヤ１側とヘッドフォン２０側とに形成される各端子Ｔの対応関係を明らかにするために、オーディオプレイヤ１における主にジャック部１Ａに対応する部分の内部構成も併せて示している。
なお、後述する実施例５のヘッドフォン２０及びオーディオプレイヤ１の内部構成はこの図７に示されるものとは若干異なることになる。その点については後の図１６にて改めて説明する。
【００５４】
図７において、ヘッドフォン２０は、ＬｃｈドライバDRV-L、ＲｃｈドライバDRV-R、ＬｃｈマイクロフォンMIC-L、ＲｃｈマイクロフォンMIC-Rを備える。また、端子としてはＬｃｈオーディオ入力端子Ｔｈ-AL、Ｒｃｈオーディオ入力端子Ｔｈ-AR、Ｌｃｈマイク出力端子Ｔｈ-ML、Ｒｃｈマイク出力端子Ｔｈ-MRを備える。
【００５５】
ＬｃｈドライバDRV-Lは、Ｌｃｈオーディオ入力端子Ｔｈ-ALとグランド端子Ｔｈ-GNDとの間に挿入されるようにして設けられる。また、ＲｃｈドライバDRV-Rは、Ｒｃｈオーディオ入力端子Ｔｈ-ARとグランド端子Ｔｈ-GNDとの間に挿入されるようにして設けられる。
また、ＬｃｈマイクロフォンMIC-Lは、Ｌｃｈマイク出力端子Ｔｈ-MLとグランド端子Ｔｈ-GNDとの間に挿入されるようにして設けられ、ＲｃｈマイクロフォンMIC-RはＲｃｈマイク出力端子Ｔｈ-MRとグランド端子Ｔｈ-GNDとの間に挿入されるようにして設けられている。
グランド端子Ｔｈ-GNDは、Ｌｃｈマイク出力、Ｒｃｈマイク出力、Ｌｃｈオーディオ入力、Ｒｃｈオーディオ入力の共通のグランド端子となる。
【００５６】
ここで、ヘッドフォン２０が有するＬｃｈドライバDRV-L、ＲｃｈドライバDRV-R、ＬｃｈマイクロフォンMIC-L、ＲｃｈマイクロフォンMIC-Rの配置関係は、次の図８に示すものとなる。
図８（ａ）は、ＦＦ方式対応のヘッドフォン装置とされる場合、図８（ｂ）はＦＢ方式対応のヘッドフォン装置とされる場合のヘッドフォン２０の構造について模式的に示した図である。
これらの図に示されるように、ヘッドフォン２０としては、Ｌｃｈハウジング部２０Ｌ、Ｒｃｈハウジング部２０Ｒとを有する。そしてＦＦ方式、ＦＢ方式の場合も共に、ＬｃｈドライバDRV-LはＬｃｈハウジング部２０Ｌ内に設けられ、またＲｃｈドライバDRV-RはＲｃｈハウジング部２０Ｒ内に設けられる。
【００５７】
そして、図８（ａ）のＦＦ方式の場合、ＬｃｈマイクロフォンMIC-Lは、Ｌｃｈハウジング部２０Ｌにおいて外向きに設けられる。すなわち、ハウジング部２０Ｌの外界で生じる音を収音するようにして設けられる。同様にＲｃｈマイクロフォンMIC-RとしてもＲｃｈハウジング部２０Ｒにおいて外向きに設けられる。
【００５８】
一方、図８（ｂ）のＦＢ方式の場合、ＬｃｈマイクロフォンMIC-LはＬｃｈハウジング部２０Ｌにおいて内向きに設けられる。つまり、ハウジング部２０Ｌ内における音、具体的には聴取者の右耳で聴取される音を収音するようにして設けられる。同様にしてＲｃｈマイクロフォンMIC-RとしてもＲｃｈハウジング部２０Ｒにて内向きに設けられる。
【００５９】
図７に戻り、オーディオプレイヤ１側には、ヘッドフォン２０側におけるＬｃｈマイク出力端子Ｔｈ-ML、Ｒｃｈマイク出力端子Ｔｈ-MRを介してそれぞれ得られることになる、ＬｃｈマイクロフォンMIC-L、ＲｃｈマイクロフォンMIC-Rによる収音信号を入力するためのＬｃｈマイク入力端子Ｔｐ-ML、Ｒｃｈマイク入力端子Ｔｐ-MRが設けられる。
上記Ｌｃｈマイク入力端子Ｔｐ-MLは、コンデンサＣＬを介してＬｃｈのマイクアンプ７−Ｌに接続される。同様に、上記Ｒｃｈマイク入力端子Ｔｐ-MRはコンデンサＣＲを介してＲｃｈのマイクアンプ７−Ｒに接続される。
またこの場合、上記Ｌｃｈマイク入力端子Ｔｐ-MLと接続されたＬｃｈマイク入力ライン、及び上記Ｒｃｈマイク入力端子Ｔｐ-MRと接続されたＲｃｈマイク入力ラインには、所定レベルによるマイクバイアス電圧Ｖbiasが与えられている。
【００６０】
また、オーディオプレイヤ１側には、ヘッドフォン２０側のグランド端子Ｔｈ-GNDと接続されるグランド端子Ｔｐ-GNDが設けられる。当該グランド端子Ｔｐ-GNDはアースに接地される。
【００６１】
また、オーディオプレイヤ１側には、Ｌｃｈのパワーアンプ６−Ｌと接続されたＬｃｈオーディオ出力端子Ｔｐ-ALと、Ｒｃｈのパワーアンプ６−Ｒと接続されたＲｃｈオーディオ出力端子Ｔｐ-ALが設けられる。上記Ｌｃｈオーディオ出力端子Ｔｐ-ALとヘッドフォン２０側のＬｃｈオーディオ入力端子Ｔｈ-ALとが接続されることで、ＬｃｈドライバDRV-Lが上記パワーアンプ６−Ｌの出力信号に応じて駆動される。また、上記Ｒｃｈオーディオ出力端子Ｔｐ-ARとヘッドフォン２０側のＲｃｈオーディオ入力端子Ｔｈ-ARとが接続されることで、ＲｃｈドライバDRV-Rが上記パワーアンプ６−Ｒの出力信号に応じて駆動される。
【００６２】
また、この図７においては、先の図４にて説明したプラグ接続有無検出部１１も示されている。このプラグ接続有無検出部１１は、図のようにメカスイッチ１１ａを備えて構成される。メカスイッチ１１ａは一方の接点がアース接地され他方の接点がシステムコントローラ１０に対して接続される。このシステムコントローラ１０への接続ラインは所定レベルによるバイアス電圧が与えられており、メカスイッチ１３ａがＯＮ、すなわち上記各接点が導通状態となることで、システムコントローラ１０への入力がＬ（Low）となる。また、メカスイッチ１１ａがＯＦＦ、つまり上記各接点が非導通状態となることで、システムコントローラ１０に対する入力はＨ（High）となる。システムコントローラ１０は、このようなプラグ接続有無検出部１１からの入力信号（検出信号）のＨ／Ｌに応じてプラグの接続有無を判定することができる。
【００６３】
[ヘッドフォン識別のための構成]
ここで、本実施の形態の音響再生システムでは、オーディオプレイヤ１側において複数種のヘッドフォン２０のそれぞれに対応して適正なノイズキャンセリング効果が得られるようにすることを目的としている。
先にも述べたように、適正なノイズキャンセリング効果を得るにあたっては、オーディオプレイヤ１に対して接続されるヘッドフォン２０のタイプごとに予め定められたフィルタ特性を、接続されるヘッドフォン２０の別に応じてＮＣフィルタ４ａに対して可変的に設定する必要がある。そして、このように使用するヘッドフォンに応じてフィルタ特性を可変的に設定するとしたときには、当然のことながら実際に使用されるヘッドフォン２０のタイプが何れのタイプに該当するかを識別する必要がある。
【００６４】
このような識別にあたっては、例えば使用するヘッドフォン２０の別の情報をユーザ操作に基づき取得することが考えられるが、ユーザの入力情報に基づく識別を行う場合には、必然的にユーザに操作負担を強いるものとなり、利便性に欠けるシステムとなってしまう。
また、このようにユーザの操作入力に基づく識別を行う場合には、ユーザの勘違い等で実際に使用されるヘッドフォン２０とは別のヘッドフォン２０が選択されてしまう可能性もあり、その場合、適正なノイズキャンセリング効果を得ることができなくなってしまうといった問題が生じる。
【００６５】
そこで、本実施の形態では、ヘッドフォン２０側に対してそのタイプの別を表すＩＤの情報（図５に示したＩＤ：０〜ＩＤ：３）を物理的な構造パターンによって記憶させ、オーディオプレイヤ１側には、上記構造パターンの別を検出するための検出部（構造パターン検出部１２）を設け、該検出部の検出結果に基づき上記ＩＤの情報を取得するという手法を採る。つまり、このような手法とすることで、装置側で自動的にヘッドフォン２０のタイプの別を識別可能とするものである。
以下、このような実施の形態としてのＩＤ識別手法を実現するための構成例について説明していく。
【００６６】
［実施例１］
先ずは、実施例１について、図９〜図１１を参照して説明する。
実施例１は、ヘッドフォン２０側の所定位置における電極の有無によってＩＤを記憶し、それを読み取るものである。この実施例１としては、具体的に実施例１−１と実施例１−２に分けることができる。先ずは図９に、実施例１−１としての構成を示す。
【００６７】
図９において、図９（ａ）はオーディオプレイヤ１側に形成されるジャック部１Ａの構造と、ヘッドフォン２０側に形成されるプラグ部１Ａの構造を示した斜視図であり、図９（ｂ）は、図９（ａ）に示される各電極に対する内部の配線状態について模式的に示した図である。
【００６８】
図９（ａ）において、先ずヘッドフォン２０側のプラグ部２０Ａには、先に説明したＬｃｈオーディオ入力端子Ｔｈ-AL、Ｒｃｈオーディオ入力端子Ｔｈ-AR、Ｌｃｈマイク出力端子Ｔｈ-ML、Ｒｃｈマイク出力端子Ｔｈ-MR、グランド端子Ｔｈ-GNDが、図のような配置関係により設けられる。
このとき、Ｌｃｈオーディオ入力端子Ｔｈ-AL、Ｒｃｈオーディオ入力端子Ｔｈ-AR、Ｌｃｈマイク出力端子Ｔｈ-ML、Ｒｃｈマイク出力端子Ｔｈ-MRは同軸上にそれぞれ独立したリング状の形状により配置される。これに対し、グランド端子Ｔｈ-GNDは、これら各端子Ｔｈと同軸上には配置されずに、これら同軸上の各端子Ｔｈが配置される部分から突出するようにして設けられている。
【００６９】
ここで、一方のオーディオプレイヤ１側のジャック部１Ａには、上記グランド端子Ｔｈ-GND（突起部）を勘合して位置決めするための位置決め部Ｘが形成されている。つまり、この位置決め部Ｘが形成されていることで、ジャック部１Ａとプラグ部２０Ａは所定の位置関係で接続されるようになっている。
なお、ここでは図示の都合上、ジャック部１Ａ側におけるＬｃｈオーディオ出力端子Ｔｐ-AL、Ｒｃｈオーディオ出力端子Ｔｐ-AR、Ｌｃｈマイク入力端子Ｔｐ-ML、Ｒｃｈマイク入力端子Ｔｐ-MR、グランド端子Ｔｐ-GNDの図示は省略しているが、これらの端子Ｔｐは、プラグ部２０Ａが接続された際、プラグ部２０Ａ側に設けられた対応する端子Ｔｈと１対１で接するようにしてジャック部１Ａ内に形成されている。
【００７０】
そして、本例の場合、プラグ部２０Ａ側には、ＩＤ情報を記憶するための各電極Ｅｈを形成すべき位置として、電極形成位置Ｐが予め設定される。
一方で、ジャック部１Ａ側には、プラグ部２０Ａが接続された際に上記各電極形成位置Ｐと接する位置に対して、各電極Ｅｐが設けられる。
ここで、本例の場合、ＩＤ情報の記憶は、プラグ部２０Ａ側の３つの電極形成位置Ｐのそれぞれにおける電極Ｅｈの有無によって記憶させるものとしている。図のようにプラグ部２０Ａに設定されるこれら３つの電極形成位置Ｐについては、第１電極形成位置Ｐ１、第２電極形成位置Ｐ２、第３電極形成位置Ｐ３とする。
また、プラグ部２０Ａが接続された際、これら第１電極形成位置Ｐ１、第２電極形成位置Ｐ２、第３電極形成位置Ｐ３と１対１で接するようにして設けられるジャック部１Ａ側の電極Ｅｐについては、それぞれ第１電極Ｅｐ１、第２電極Ｅｐ２、第３電極Ｅｐ３とする。
【００７１】
この図の例では、プラグ部２０Ａ側において、第１電極形成位置Ｐ１、第２電極形成位置Ｐ２、第３電極形成位置Ｐ３の全てに電極Ｅｈが形成されている場合を例示している。第１電極形成位置Ｐ１に形成される電極Ｅｈについては第１電極Ｅｈ１、第２電極形成位置Ｐ２に形成される電極Ｅｈは第２電極Ｅｈ２、第３電極形成位置Ｐ３に形成される電極Ｅｈは第３電極Ｅｈ３とする。
【００７２】
実施例１−１では、上記のようにして形成される各電極Ｅｈ、Ｅｐの配線を図９（ｂ）に示すようにすることで、オーディオプレイヤ１側でのＩＤ情報の読み取りを可能とする。
図のようにヘッドフォン２０側においては、第１電極Ｅｈ１、第２電極Ｅｈ２、第３電極Ｅｈ３のそれぞれが、グランド端子Ｔｈ-GNDと接続されたグランドラインに対して接続される。つまり、電極形成位置Ｐにおいて形成される電極Ｅｈは、全てグランドラインに対して接続されるようになっている。
一方で、オーディオプレイヤ１側においては、電極Ｅｐ１、電極Ｅｐ２、電極Ｅｐ３が、それぞれ所定レベルによるバイアス電圧が与えられたラインを介してシステムコントローラ１０と接続されている。
なお、図中「２．８Ｖ」の表記は、デジタルでＨ（High）として扱われる電圧レベルを表しているものである。
【００７３】
このような構成により、ジャック部１Ａとプラグ部２０Ａが接続されたとき、電極形成位置Ｐに電極Ｅｈが形成される場合には、ジャック部１Ａ側の対応する電極ＥｐのラインはＬとなり、逆に電極形成位置Ｐに電極Ｅｈが形成されない場合には、ジャック部１Ａ側の対応する電極ＥｐのラインはＨとなるようにされる。
このようにして、オーディオプレイヤ１側には、プラグ部２０Ａ側の各電極形成位置Ｐごとに電極Ｅｈの有無を検出するための電気信号を得る、構造パターン検出部１２が形成されている。システムコントローラ１０はこの構造パターン検出部１２で得られる電気信号に基づき、電極Ｅｈの有無としての物理的な構造パターンによってヘッドフォン２０側に記憶されたＩＤ情報を取得することができる。
【００７４】
ここで、確認のために述べておくと、上記のように３つの電極形成位置Ｐにおける電極Ｅｈの有無によりＩＤを記憶させるものとすれば、各位置と電極Ｅｈの有無の組み合わせは８通りとなり、従って最大で８種類のヘッドフォン２０の識別が可能となる。
【００７５】
続いて、実施例１−２の構成について、図１０を参照して説明する。
この図１０を参照して理解されるように、実施例１−２は、先の実施例１−１ではプラグ部２０Ａ側の電極Ｅｈをグランドラインに対して接続していたものを、Ｌｃｈマイク出力端子Ｔｈ-MLと接続されるＬｃｈマイク信号ライン、又はＲｃｈマイク出力端子Ｔｈ-MRと接続されるＲｃｈマイク信号ラインに対して接続するようにしたものである。
この実施例１−２では、上記のようにプラグ部２０Ａ側の電極Ｅｈをマイク信号ラインに接続することに応じ、オーディオプレイヤ１側では、各電極Ｅｐを、アース接地されたラインを介してシステムコントローラ１０に対して接続するものとしている。
【００７６】
ここで、先の図７を参照しても理解されるように、マイク信号ラインには、オーディオプレイヤ１側からマイクバイアス電圧Ｖbiasが与えられるものとなる。このため図１０に示される構成によれば、ジャック部１Ａとプラグ部２０Ａが接続されたとき、電極形成位置Ｐに電極Ｅｈが形成される場合には、ジャック部１Ａ側の対応する電極ＥｐのラインはＨとなり、逆に電極形成位置Ｐに電極Ｅｈが形成されない場合にはジャック部１Ａ側の対応する電極ＥｐのラインはＬとなるようにされる。
このようにして、図１０に示す実施例１−２によっても、プラグ部２０Ａ側の各電極形成位置Ｐごとに電極Ｅｈの有無を検出するための電気信号を得る、構造パターン検出部１２が形成され、システムコントローラ１０は、該構造パターン検出部１２で得られる電気信号に基づきヘッドフォン２０側に記憶されたＩＤ情報を取得することができる。
【００７７】
図１１のフローチャートは、このようにしてシステムコントローラ１０により取得されるＩＤ情報に基づき、ＮＣフィルタ４ａのフィルタ特性の変更設定を実現するための処理動作について示している。
なお、この図１１において、図中システムコントローラとして示す処理動作は、システムコントローラ１０が例えば上述したＲＯＭなどに記憶されるプログラムに基づいて実行するものである。また、ＤＳＰとして示す処理動作は、ＤＳＰ４がメモリ９に格納されたプログラムに基づき実行するものである。
【００７８】
先ず、システムコントローラ１０側において、図中のステップＳ１０１では、プラグが接続されるまで待機する処理を実行する。先に述べたようにして、プラグ部２０Ａの接続有無は、図４や図７で説明したプラグ接続有無検出部１１からのＯＮ／ＯＦＦ信号に基づき検知することができる。
【００７９】
プラグが接続されたことに応じては、ステップＳ１０２において、ＩＤの読み取り処理を実行する。すなわち、各端子Ｅｐごとのラインにおける電気信号レベルがＨ／Ｌの何れであるかを判定した結果に基づき、ヘッドフォン２０側の電極Ｅｈの有無で記憶されたＩＤの情報を取得する。
【００８０】
続くステップＳ１０３では、対応情報に合致するＩＤがあるか否かについて判別処理を行う。つまり、メモリ９内に格納されたＩＤ−フィルタ特性対応情報９ａにおいて、上記ステップＳ１０２で読み取ったＩＤと合致するＩＤが存在するか否かを判別する。
ステップＳ１０３において、対応情報に合致するＩＤがないとして否定結果が得られた場合は、ステップＳ１０５に進んで未対応通知処理を実行する。ここで、ステップＳ１０３にて否定結果が得られる場合としては、接続されたヘッドフォン２０が例えば新規に発売されたものであるなど、その時点で未対応機種である場合が想定される。これに応じ、ステップＳ１０５の未対応通知処理としては、図４に示した表示部１４に、接続されたヘッドフォン２０が未対応である旨を表す情報表示を実行させる。表示する具体的な情報内容としては、接続されたヘッドフォン２０が未対応である旨を表す情報と共に、外部の例えばパーソナルコンピュータなどのネットワーク接続が可能な情報処理装置に接続して、ＩＤ−フィルタ特性対応情報９ａに追加すべきＩＤ情報・フィルタ特性情報のダウンロードを指示するための情報を表示させてもよい。
ステップＳ１０５の処理を実行すると、この図に示すシステムコントローラ１０側の処理動作は終了となる。
【００８１】
一方、上記ステップＳ１０３において、対応情報に合致するＩＤが存在するとして肯定結果が得られた場合は、ステップＳ１０４に進んでＩＤをＤＳＰに対して指示する。すなわち、ステップＳ１０２の処理で取得したＩＤの情報をＤＳＰ４に対して指示する。
【００８２】
ＤＳＰ４側においては、図中のステップＳ２０１により、システムコントローラ１０側からのＩＤの指示を待機するようにされている。そして、ＩＤの指示があった場合は、ステップＳ２０２において、指示されたＩＤと対応づけられたフィルタ特性情報に基づき、ＮＣフィルタの特性を設定する処理を実行する。すなわち、ＩＤ−フィルタ特性対応情報９ａにおいて、指示されたＩＤと合致するＩＤの情報と対応づけられたフィルタ特性情報に基づき、ＮＣフィルタ４ａのフィルタ特性を設定する処理を実行する。
ステップＳ２０２の処理を実行すると、この図に示すＤＳＰ４側の処理動作は終了となる。
【００８３】
［実施例２］
続いては、実施例２について説明する。
なお、以下の説明において、既にこれまでにおいて説明した部分と同様となる部分については同一符号を付して説明を省略する。
【００８４】
図１２は、実施例２としての構成について説明するための図として、図１２（ａ）はジャック部１Ａとプラグ部１Ａの構造を示した斜視図であり、図１２（ｂ）はオーディオプレイヤ１側における各電極に対する内部の配線状態について模式的に示した図である。
この実施例２は、プラグ部２０Ａの所定位置における導電板の有無によってＩＤ情報を記憶させ、それを読み取るものである。
【００８５】
具体的に、この場合のプラグ部２０Ａにおいては、図１２（ａ）に示すように、予め所定位置に第１導電板形成位置Ｐ１１、第２導電板形成位置Ｐ１２、第３導電板形成位置Ｐ１３が設定され、これら各形成位置Ｐ１１、Ｐ１２、Ｐ１３における導電板の有無によって、ＩＤ情報が記憶される。この図の例では、第１導電板形成位置Ｐ１１、第２導電板形成位置Ｐ１２、第３導電板形成位置Ｐ１３の全てに導電板が形成されている場合を示している。図のように第１導電板形成位置Ｐ１１、第２導電板形成位置Ｐ１２、第３導電板形成位置Ｐ１３に形成される導電板については、それぞれ第１導電板Ｅｈ１１、第２導電板Ｅｈ１２、第３導電板Ｅｈ１３とする。
この場合、各導電板Ｅｈ１１、Ｅｈ１２、Ｅｈ１３に対する内部の配線は無く、これらは例えば金属板などを貼り付けて形成されたものとなっている。
【００８６】
オーディオプレイヤ１側のジャック部１Ａには、プラグ部２０Ａが接続されたときに上記第１導電板形成位置Ｐ１１と接するように設けられた［電極Ｅｐ１１ａ,電極Ｅｐ１１ｂ］の組と、第２導電板形成位置Ｐ１２と接するように設けられた［電極Ｅｐ１２ａ,電極Ｅｐ１２ｂ］の組と、第３導電板形成位置Ｐ１３と接するように設けられた［電極Ｅｐ１３ａ,電極Ｅｐ１３ｂ］の組とが備えられる。
【００８７】
図１２（ｂ）に示すように、上記［電極Ｅｐ１１ａ,電極Ｅｐ１１ｂ］、［電極Ｅｐ１２ａ,電極Ｅｐ１２ｂ］、［電極Ｅｐ１３ａ,電極Ｅｐ１３ｂ］のうち、電極Ｅｐ１１ｂ、電極Ｅｐ１２ｂ、電極Ｅｐ１３ｂについては、それぞれがアースに接地される。一方で、電極Ｅｐ１１ａ、電極Ｅｐ１２ａ、電極Ｅｐ１３ａは、それぞれ所定レベルによるバイアス電圧が与えられたラインを介してシステムコントローラ１０と接続されている。
【００８８】
このような構成により、ヘッドフォン２０側における各導電板形成位置Ｐにおける導電板Ｅｈの有無を電気信号により検出するための、構造パターン検出部１２が形成される。
この場合、プラグ部２０Ａ側における導電板形成位置Ｐに導電板Ｅｈが形成されるときには、ジャック部１Ａ側の対応する端子Ｅｐと接続されたラインがＬとなり、導電板Ｅｈが形成されないときは対応する端子Ｅｐと接続されたラインがＨとなる。システムコントローラ１０は、それぞれの端子Ｅｐと接続されるラインで得られる電気信号のＨ／Ｌの別を判定することで、ヘッドフォン２０側における導電板Ｅｈの有無で記憶されたＩＤ情報を取得することができる。
【００８９】
ここで、実施例２としても、このようにして取得されるＩＤ情報に応じてＮＣフィルタ４ａのフィルタ特性を変更設定するための処理が行われるものとなるが、その内容については先の図１１にて説明したものと同様となるので改めての説明は省略する。
【００９０】
［実施例３］
実施例３は、プラグ部２０Ａ側の所定位置における突起部（凸部）の有無によってＩＤ情報を記憶させ、これに対応しジャック部１Ａ側に上記突起部の有無を検出するためのメカスイッチを設けて上記ＩＤ情報を読み取るものである。
図１３は、実施例３の構成について説明するための図として、図１３（ａ）はジャック部１Ａとプラグ部１Ａの構造を示した斜視図であり、図１３（ｂ）はオーディオプレイヤ１側における各メカスイッチに対する内部の配線状態について模式的に示した図である。
【００９１】
先ず、図１３（ａ）において、プラグ部２０Ａにおいては、予め所定位置に第１突起部形成位置Ｐ２１、第２突起部形成位置Ｐ２２、第３突起部形成位置Ｐ２３が設定され、これら各形成位置Ｐ２１、Ｐ２２、Ｐ２３における突起部Ｊｈの有無によってＩＤ情報が記憶される。この図の例では、第１突起部形成位置Ｐ２１、第２突起部形成位置Ｐ２２、第３突起部形成位置Ｐ２３の全てに突起部Ｊｈが形成されている場合を示している。第１突起部形成位置Ｐ２１における突起部Ｊｈは第１突起部Ｊｈ１、第２突起部形成位置Ｐ２２にける突起部Ｊｈは第２突起部Ｊｈ２、第３突起部形成位置Ｐ２３における突起部Ｊｈは第３突起部Ｊｈ３とする。
【００９２】
オーディオプレイヤ１側のジャック部１Ａには、プラグ部２０Ａが接続されたときに上記第１突起部形成位置Ｐ２１と対向するように設けられた第１メカスイッチＭＳＷ１、上記第２突起部形成位置Ｐ２２と対向するようにして設けられた第２メカスイッチＭＳＷ２、第３突起部形成位置Ｐ２３と対向するようにして設けられた第３メカスイッチＭＳＷ３が備えられている。
これらメカスイッチＭＳＷ１〜ＭＳＷ３のそれぞれは、プラグ部２０Ａが接続されたとき、対向する突起部形成位置Ｐに突起部Ｊｈが形成されている場合にＯＮ状態となり、また対向する突起部形成位置Ｐに突起部Ｊｈが形成されない場合、或いはプラグ部２０Ａが取り外された場合にはＯＦＦ状態となるようにして設けられている。
【００９３】
その上で、オーディオプレイヤ１内部では、図１３（ｂ）に示すように、各メカスイッチＭＳＷの一方の端子はアース接地され、他方の端子は所定レベルによるバイアス電圧が与えられたラインを介してシステムコントローラ１０と接続されている。
このような構成により、ヘッドフォン２０側における各突起部形成位置Ｐにおける突起部Ｊｈの有無を電気信号により検出するための、構造パターン検出部１２が形成される。
具体的に、プラグ部２０Ａ側における突起部形成位置Ｐに突起部Ｊｈが形成される場合には、ジャック部１Ａ側の対応するメカスイッチＭＳＷと接続されたラインがＬとなり、突起部Ｊｈが形成されない場合は対応するメカスイッチＭＳＷと接続されたラインがＨとなる。システムコントローラ１０は、それぞれのメカスイッチＭＳＷと接続されるラインで得られる電気信号のＨ／Ｌの別を判定することで、ヘッドフォン２０側における突起部Ｊｈの有無で記憶されたＩＤ情報を取得することができる。
【００９４】
なお、実施例３としても、取得したＩＤ情報に応じてＮＣフィルタ４ａのフィルタ特性を変更設定するための処理が行われるものとなるが、この場合もその内容は先の図１１にて説明したものと同様となるので改めての説明は省略する。
【００９５】
［実施例４］
実施例４は、プラグ部２０Ａの所定位置における凹部の有無によってＩＤ情報を記憶させ、ジャック部１Ａ側に上記凹部の有無を検出するためのスイッチを設けることで上記ＩＤ情報を読み取るものである。
図１４は、実施例４の構成について説明するための図として、プラグ部２０Ａの構造を斜視図と正面図とにより示している。
この図の例では、凹部の形成位置を、既存の端子Ｔｈとする場合を示している。具体的に、この場合の凹部形成位置は、プラグ部２０Ａの先端部に形成されるＬｃｈオーディオ入力端子Ｔｈ-ALに設定するものとしている。
【００９６】
図１４において、この場合のＬｃｈオーディオ入力端子Ｔｈ-ALには、第１凹部形成部Ｐ３１、第２凹部形成部Ｐ３２、第３凹部形成部Ｐ３３が設定されている。図１４における正面図を参照してわかるように、この場合はこれら第１凹部形成部Ｐ３１、第２凹部形成部Ｐ３２、第３凹部形成部Ｐ３３の全てに凹部が形成されている例を示している（図中、第１凹部Ｊｈ１１、第２凹部Ｊｈ１２、第３凹部Ｊｈ１３）。
【００９７】
図１５は、実施例４におけるオーディオプレイヤ１側の内部構成を示している。この図１５では実施例４としてのオーディオプレイヤ１が備えるＩＤ情報読み取りのための構成（システムコントローラ１０、構造パターン検出部１２）について主に示している。また、この図では、プラグ部２０Ａにおける先端部（各端子Ｔｈが形成された部分）も併せて示している。
【００９８】
この図１５に示されるように、この場合のオーディオプレイヤ１に備えられる構造パターン検出部１２においては、プラグ部２０Ａ側の凹部の有無を検出するためのスイッチＳＷが設けられる。この場合、スイッチＳＷは、プラグ部２０Ａが接続されたときに凹部形成部Ｐと対向するようにして設けられる。なお、この図１５においては図示の都合上、第２凹部Ｊｈ１２（第２凹部形成部Ｐ３２）と対向する位置に設けられるスイッチＳＷのみを示しているが、実際には、プラグ部２０Ａに設定される各凹部形成位置Ｐと対向するそれぞれの位置に対してそれぞれのスイッチＳＷが設けられる。
【００９９】
ここで、図１５においては、プラグ部２０Ａが接続された状態として、図１５（ａ）では凹部ありの場合、図１５（ｂ）では凹部なしの場合を示しているが、上記スイッチＳＷとしては、図のように凹部ありの場合はＯＦＦ、凹部なしの場合はＯＮするようにして設けられる。
具体的に、この場合のスイッチＳＷは、凹部なしの場合にプラグ部２０Ａ側のＬｃｈオーディオ入力端子Ｔｈ-ALによる押圧力を受ける第１の金具部と、該第１の金具部と絶縁体Ｚを介して接続され、且つ所定レベルによるバイアス電圧が与えられたシステムコントローラ１０からのラインと接続された第２の金具部とを備える。この第２の金具部は、凹部ありのＯＦＦとなる状態ではアースと非接続となり、凹部なしのＯＮとなる状態ではアースと接続されることになる。
【０１００】
このような実施例４としての構造パターン検出部１２の構成により、プラグ部２０Ａ側の各凹部形成位置Ｐにおける凹部Ｊｈの有無を表す電気信号を得ることができる。具体的に、凹部形成位置Ｐに凹部Ｊｈが形成される場合（図１５（ａ））は、対応するスイッチＳＷと接続されたラインがＨとなり、凹部Ｊｈが形成されない場合（図１５（ｂ））は、対応するスイッチＳＷと接続されたラインがＬとなる。システムコントローラ１０は、このような各スイッチＳＷと接続される各ラインにおける電気信号のＬ／Ｈを判定することで、ヘッドフォン２０側の所定位置における凹部Ｊｈの有無で記憶されたＩＤ情報を取得することができる。
【０１０１】
なお、この実施例４としても、取得したＩＤ情報に応じてＮＣフィルタ４ａのフィルタ特性を変更設定するための処理を行うが、この場合もその内容は先の図１１にて説明したものと同様となるので説明は省略する。
【０１０２】
［実施例５］
実施例５は、ヘッドフォン２０側に設けた抵抗素子の抵抗値によってＩＤ情報を記憶し、それを読み取るものである。
図１６は、実施例５としてのオーディオプレイヤ１とヘッドフォン２０の内部構成を示している。なお、この図１６としても先の図７と同様に、オーディオプレイヤ１側の内部構成については、主にジャック部１Ａに対応する部分の構成を抽出して示している。
【０１０３】
図１６において、実施例５のヘッドフォン２０としては、先の図７に示した構成と比較して、抵抗Ｒ１、抵抗Ｒ２、及び検出端子Ｔｈ-DTを追加した点が異なる。また、実施例５としてのオーディオプレイヤ１としては、図７に示した構成に対して検出端子Ｔｐ-DTが追加されたものとなる。
【０１０４】
ヘッドフォン２０側において、上記抵抗Ｒ１はその一端がＬｃｈマイク出力ラインと接続され、他端が上記検出端子Ｔｈ-DTと接続される。また、上記抵抗Ｒ２はその一端がグランド端子Ｔｈ-GNDと接続されたグランドラインと接続され、他端が上記抵抗Ｒ１と上記検出端子Ｔｈ-DTとの接続点に対して接続される。
【０１０５】
ヘッドフォン２０側において、上記検出端子Ｔｈ-DTは、例えば次の図１７に示されるようにしてプラグ部２０Ａにおける所定位置に対して、独立した端子として設ける。
これに対応させて、オーディオプレイヤ１側の検出端子Ｔｐ-DTとしては、プラグ部２０Ａが位置決め部Ｘによって位置決めされて接続されたときに上記検出端子Ｔｈ-DTと接する位置に対して設ける（図示は省略）。
図１６に示されるように、オーディオプレイヤ１側における検出端子Ｔｐ-DTは、システムコントローラ１０と接続されている。
【０１０６】
ここで、先にも述べたように、ヘッドフォン２０がオーディオプレイヤ１側と接続された場合、マイク出力ラインには、オーディオプレイヤ１側から所定レベルによるマイクバイアス電圧Ｖbiasが与えられることになる。従って上記により説明した構成によれば、ヘッドフォン２０側の検出端子Ｔｈ-DTには、上記抵抗Ｒ１、Ｒ２によって分圧されたマイクバイアス電圧Ｖbiasの中間電位が得られることになる。
ここで、この中間電位をＶmid、抵抗Ｒ１、Ｒ２の抵抗値をそれぞれＲｖ１、Ｒｖ２とすると、中間電位Ｖmidは、
Ｖmid＝Ｖbias・Ｒｖ２／（Ｒｖ１＋Ｒｖ２）
で表される。この場合、マイクバイアス電圧Ｖbiasは一定レベルと見なすことができるので、上式によれば、中間電位Ｖmidは、抵抗Ｒ１、Ｒ２の抵抗値Ｒｖ１、Ｒｖ２の比率で定まることになる。つまり、このことより、抵抗値Ｒｖ１、Ｒｖ２の比率の設定によって、オーディオプレイヤ１側で読み取り可能な形でＩＤ情報を記憶させることができる。
【０１０７】
図１６に示した構成によれば、プラグ部２０Ａが接続されることに応じて、オーディオプレイヤ１側の検出端子Ｔｐ-DTに上記中間電位Ｖmidが得られる。システムコントローラ１０は、このように検出端子Ｔｐ-DTに得られる中間電位Ｖmidを検出した結果に基づき、上記抵抗値Ｒｖ１、Ｒｖ２の比率によって記憶されたＩＤ情報を取得することができる。
なお、確認のために述べておくと、この場合は検出端子Ｔｐ-DTが構造パターン検出部１２として機能することになる。
【０１０８】
この実施例５のようにマイクバイアス電圧Ｖbiasを分圧する抵抗Ｒ１、Ｒ２の抵抗値Ｒｖ１、Ｒｖ２の比率によってＩＤ情報を記憶させた場合、記憶可能なＩＤ情報の種類は抵抗値の誤差やシステムコントローラ１０側における電圧値の検出精度（分解能）に依存して決まる。
【０１０９】
なお、この実施例５としても取得したＩＤ情報に応じてＮＣフィルタ４ａのフィルタ特性を変更設定するための処理が行われるものとなるが、この場合もその内容は先の図１１にて説明したものと同様となるので改めての説明は省略する。
また、図１６の例では抵抗Ｒ１をＬｃｈマイク出力ラインに対して接続する場合を例示したが、もちろん、Ｒｃｈマイク出力ラインに接続した場合にも同様の結果が得られる。
【０１１０】
［実施例６］
実施例６は、ヘッドフォン２０側の所定位置における導光材の有無によってＩＤ情報を記憶し、それを読み取るものである。
図１８は、実施例６の構成について説明するための図として、図１８（ａ）はジャック部１Ａとプラグ部１Ａの構造を示した斜視図であり、図１８（ｂ）はオーディオプレイヤ１側の主にＩＤ情報の読み取りに係る部分の内部構成を抽出して示している。
【０１１１】
図１８（ａ）において、この場合のヘッドフォン２０におけるプラグ部２０Ａにおいては、その所定位置に第１導光部形成位置Ｐ４１、第２導光部形成位置Ｐ４２、第３導光部形成位置Ｐ４３が設定され、これら各形成位置Ｐ４１、Ｐ４２、Ｐ４３における導光部Ｏｈの有無によって、ＩＤ情報が記憶される。図のように第１導光部形成位置Ｐ４１における導光部Ｏｈは第１導光部Ｏｈ１、第２導光部形成位置Ｐ４２における導光部Ｏｈは第２導光部Ｏｈ２、第３導光部形成位置Ｐ４３における導光部Ｏｈは第３導光部Ｏｈ３である。
各導光部Ｏｈ１、Ｏｈ２、Ｏｈ３は透過性を有し、例えば透明ガラスや透明樹脂などで構成する。
【０１１２】
また、この場合のオーディオプレイヤ１側のジャック部１Ａには、プラグ部２０Ａが接続されたときに上記第１導光部形成位置Ｐ４１と対向するようにして設けられた［第１発光部Ｏｐ-E1,第１光検出部Ｏｐ-D1］の組と、第２導光部形成位置Ｐ４２と対向するようにして設けられた［第２発光部Ｏｐ-E2,第２光検出部Ｏｐ-D2］の組と、第３導光部形成位置Ｐ４３と対向するようにして設けられた［第３発光部Ｏｐ-E3,第３光検出部Ｏｐ-D3］の組とが設けられる。
各発光部Ｏｐ-E1、Ｏｐ-E2、Ｏｐ-E3は、例えばＬＥＤ（Light Emitting Diode）などの発光素子を備えて構成される。また各光検出部Ｏｐ-D1、Ｏｐ-D2、Ｏｐ-D3は例えばフォトトランジスタなどの光検出素子（光電変換素子）を備えて構成される。
【０１１３】
図１８（ｂ）に示すように、各発光部Ｏｐ-E1、Ｏｐ-E2、Ｏｐ-E3はシステムコントローラ１０と接続される。また各光検出部Ｏｐ-D1、Ｏｐ-D2、Ｏｐ-D3としてもシステムコントローラ１０と接続される。
この場合のシステムコントローラ１０は、各発光部Ｏｐ-E1、Ｏｐ-E2、Ｏｐ-E3の発光動作のＯＮ／ＯＦＦ制御を行う。また、各光検出部Ｏｐ-D1、Ｏｐ-D2、Ｏｐ-D3からの検出信号（電気信号）のレベル検出を行う。
【０１１４】
この場合、各発光部Ｏｐ-E1、Ｏｐ-E2、Ｏｐ-E3、及び各光検出部Ｏｐ-D1、Ｏｐ-D2、Ｏｐ-D3が、構造パターン検出部１２として機能する。すなわち、ヘッドフォン２０側における各導光部形成位置Ｐにおける導光部Ｏｈの有無を電気信号により検出する部位として機能する。
プラグ部２０Ａ側における導光部形成位置Ｐに導光部Ｏｈが形成される場合は、対応する発光部Ｏｐ-Eにより発せられた光によって上記導光部Ｏｈが点灯し、この点灯光が対応する光検出部Ｏｐ-Dによって検出される。すなわち、該対応する光検出部Ｏｐ-Dによる検出信号がＨとなる。一方、導光部形成位置Ｐに導光部Ｏｈが形成されない場合には、点灯部が無いことより、対応する光検出部Ｏｐ-Dによる検出信号はＬとなる。
このようにしてシステムコントローラ１０は、各光検出部Ｏｐ-Dによる検出信号のＨ／Ｌの別を判定することで、ヘッドフォン２０側における導光部Ｏｈの有無で記憶されたＩＤ情報を取得することができる。
【０１１５】
ここで、実施例６としても、取得したＩＤ情報に応じてＮＣフィルタ４ａのフィルタ特性を変更設定するための処理を行う。
図１９のフローチャートは、実施例６において実行されるべきフィルタ特性の変更設定処理の内容を示しているが、この図１９と先の図１１とを比較してわかるように、この場合のシステムコントローラ１０側の処理としては、先ず、ステップＳ１０１でプラグが接続されたとした場合に、ステップＳ３０１により各発光部Ｏｐ-EをＯＮとするための処理を実行するようにされる。そして、続くステップＳ３０２においては、ＩＤ読み取り処理として、各光検出部Ｏｐ-Dによる検出信号のＨ／Ｌの判定を行った結果からＩＤ情報を取得する処理を実行し、さらに次のステップＳ３０３において各発光部Ｏｐ-EをＯＦＦとするための処理を実行する。
なお、システムコントローラ１０側における以降の処理、及びＤＳＰ４側の処理については図１１にて説明したものと同様となるので改めての説明は省略する（内容が同様となる処理については同一ステップ番号を付している）。
【０１１６】
なお、先の図１８では一例として、各導光部形成位置Ｐと対向する位置に対して発光部Ｏｐ-Eと光検出部Ｏｐ-Dの双方を設ける場合を例示したが、発光部Ｏｐ-Eについては、必ずしも各導光部形成位置Ｐ対応に１つずつ設ける必要はない。例えば、各導光部形成位置Ｐに対して共通となる発光部Ｏｐ-Eを１つのみ設けるといったこともできる。
【０１１７】
また、図１８の例では、導光部Ｏｈとして例えば透明ガラスや透明樹脂などを設けるものとしたが、導光部Ｏｈとしては、例えば発光部Ｏｐ-Eからの光を反射する鏡面状の部材を用いることもできる。この場合の導光部Ｏｈとしては、図１８に示したように光の入射方向に奥行きを持たせた構造とする必要はなく、例えば図１２（ａ）における導電板Ｅｈのように薄板状の構造とし、これを所定位置に対して貼り付けてもよい。
なお、確認のために述べておくと、この場合における「導光」は、発光部Ｏｐ-Eにて発光された光を光検出部Ｏｐ-Dに対して導くという意で使用しているものである。
【０１１８】
［実施例７］
実施例７は、ヘッドフォン２０側の所定位置における鍵状部の凹凸の数によってＩＤ情報を記憶し、それを読み取るものである。
図２０は、実施例７としてのヘッドフォン２０におけるプラグ部２０Ａの構造を斜視図と正面図とで示した図である。
図２０において、この場合のプラグ部２０Ａには、その所定位置に、連続的な凹凸形状を有する鍵状部Ｊｈ２１を形成するための鍵状部形成位置Ｐ５１が設定される。この場合、鍵状部形成位置Ｐ５１は、何れかの端子Ｔｈにおいて設定するものとしている。この図の例では、プラグ部２０Ａの先端に形成されるＬｃｈオーディオ入力端子Ｔｈ-ALにおいて鍵状部形成位置Ｐ５１を設定する場合を示している。
この場合において、鍵状部形成位置Ｐ５１に形成される鍵状部Ｊｈとしては、図のように２つの凹部と、該２つの凹部の間に挿入されるようにして形成される１つの凸部とを有しているものとする。
【０１１９】
図２１は、実施例７としてのオーディオプレイヤ１側の内部構成について模式的に示した図である。なお、この図２１としても先の図１５と同様に、オーディオプレイヤ１が備えるＩＤ情報読み取りのための構成（システムコントローラ１０、構造パターン検出部１２）について主に示すものである。また、この図においてもプラグ部２０Ａにおいて各端子Ｔｈが形成される先端部分も併せて示している。
【０１２０】
図２１において、実施例７のオーディオプレイヤ１においても、先の図１５に示した実施例４の場合と同様の構成による構造パターン検出部１２が設けられる。この場合の構造パターン検出部１２が備えるスイッチＳＷとしては、プラグ部２０Ａが接続される際に、鍵状部形成位置Ｐ５１と対向する位置となるようにして設けられる。
【０１２１】
ここで、図２１では、図２１（ａ）→図２１（ｂ）→図２１（ｃ）の遷移として、プラグ部２０Ａがジャック部１Ａ内に差し込まれる（接続される）様子を模式的に表している。図２１（ａ）は、スイッチＳＷ上を鍵状部Ｊｈ２１における凸部が通過する状態（状態Ａとする）を、図２１（ｂ）はスイッチＳＷ上を鍵状部Ｊｈ２１における２つ目の凹部が通過する状態（状態Ｂとする）を、また図２１（ｃ）はスイッチＳＷ上を鍵状部Ｊｈ２１が全て通過した後の状態（状態Ｃとする）をそれぞれ示している。
【０１２２】
図２２は、上記のようにしてプラグ部２０Ａが差し込まれることに応じて構造パターン検出部１２で得られる電気信号の波形変形を示している。
図中の時点ｔ１までのＨ期間は、プラグ部２０ＡにおけるＬｃｈオーディオ入力端子Ｔｈ-ALの先端（先細り状となっている）部分が通過する期間を表している。この先端部分が通過した後、鍵状部Ｊｈ２１の１つ目の凹部に到達するまでの期間には、スイッチＳＷがＯＮとなって、信号レベルはＬレベルとなる（ｔ１−ｔ２）。そして、上記１つ目の凹部に至るとスイッチＳＷはＯＦＦとなり、信号レベルはＨとなる（ｔ２−ｔ３）。さらに、上記１つ目の凹部が通過し凸部に至ると、スイッチＳＷはＯＮとなって信号レベルはＬとなる（ｔ３−ｔ４：状態Ａ）。また、上記凸部が通過し２つ目の凹部に至るとスイッチＳＷはＯＦＦとなって信号レベルはＨとされ（ｔ４−ｔ５：状態Ｂ）、さらに該２つ目の凹部が通過した後はスイッチＳＷがＯＮとなって信号レベルはＬとなる（状態Ｃ）。
【０１２３】
この場合のシステムコントローラ１０は、上記のようにしてプラグ部２０Ａの接続時に対応して構造パターン検出部１２で得られる電気信号に基づき、鍵状部Ｊｈ２１の凹凸の個数によって記憶されたＩＤ情報を取得する。
ここで、上記による説明からも理解されるように、鍵状部Ｊｈ２１における凹凸の個数は、図２２における破線矢印により示すようなＬレベルへの立ち下がりポイントの個数をカウントすることで検出することができる。このとき、鍵状部Ｊｈ２１における立ち下がりポイントであるか否かは、図２２における時点ｔ１の立ち下がりポイントが検出されたか否かにより判別することができる。つまり、この時点ｔ１の立ち下がりポイントは、これらから鍵状部Ｊｈ２１が至ることを表すポイントとなるので、該立ち下がりポイント以降における立ち下がりポイントの個数をカウントすることで、鍵状部Ｊｈ２１における凹凸の個数を検出（カウント）することができる。
但し、鍵状部Ｊｈ２１における凹凸の個数を適正に検出するためには、このようなカウントの開始ポイントの設定と共に、カウントの終了ポイントの設定も重要となる。本例の場合、カウントの終了ポイントとしては、カウントの開始ポイント（時点ｔ１としての最初のＨ→Ｌの立ち下がりポイント）の検出から所定時間経過後に設定する（図２２中の時点ｔ６）。この「所定時間」として設定する時間長が短かすぎると、鍵状部Ｊｈ２１の全てが通過する前にカウントが終了してまうことになり、その場合はＩＤ情報を適正に読み取ることができなくなってしまう。逆に長すぎる場合にはＩＤ情報の読み取りに必要以上の時間を要してしまい、結果としてユーザを待たせる時間が長くなってしまう。
本例の場合、上記「所定時間」として設定する時間長は、プラグ部２０Ａの接続に要する時間長として想定される最大限の時間長を設定するものとしている。
【０１２４】
図２３のフローチャートは、実施例７としてのオーディオプレイヤ１側で実行されるべき処理動作について示している。なお、この場合もＤＳＰ４側の処理としては先の図１１に示したものと同様となることから図示による説明は省略し、この図では、システムコントローラ１０側で実行する処理動作のみについて示す。
【０１２５】
図２３において、ステップＳ４０１では、Ｈ→Ｌの立ち下がりポイントを検出するまで待機するようにされる。すなわち、図２１に示した構造パターン検出部１２からの検出信号における、最初の立ち下がりポイント（時点ｔ１）を検出するまで待機するものである。
そして、立ち下がりポイントが検出された場合は、ステップＳ４０２において、タイムカウントをスタートした後、ステップＳ４０３においてカウント値ｎを０リセットする。
【０１２６】
上記ステップＳ４０３のリセット処理を実行すると、ステップＳ４０４及びステップＳ４０５により、Ｈ→Ｌの立ち下がりポイントの再検出、又は所定時間の経過の何れかを待機するようにされる。
具体的に、上記ステップＳ４０４において、Ｈ→Ｌの立ち下がりポイントを再検出したとして肯定結果が得られた場合は、ステップＳ４０６でカウント値ｎを１インクリメント（ｎ＝ｎ＋１）した後、ステップＳ４０４に戻るようにされる。一方、上記ステップＳ４０４において、Ｈ→Ｌの立ち下がりポイントを再検出していないとして否定結果が得られた場合は、ステップＳ４０５に進み、予め設定された所定時間（ｔ１−ｔ６）が経過したか否かを判別する。
このステップＳ４０５において、上記所定時間が経過していないとして否定結果が得られた場合はステップＳ４０４に戻る。
【０１２７】
また、上記ステップＳ４０５において、上記所定時間が経過したとして肯定結果が得られた場合は、ステップＳ４０６に進んでタイムカウントをリセットした後、ステップＳ４０８において、カウント値ｎの値からＩＤを取得する。
当該ステップＳ４０８の処理を実行した後は、図示するようにして、先の図１１で説明したステップＳ１０３〜Ｓ１０５と同様の処理を実行する。これにより、この場合としてもヘッドフォン２０側に記憶されたＩＤ情報に対応するフィルタ特性をＮＣフィルタ４ａに設定することができる。
【０１２８】
なお、この実施例７では、鍵状部形成部Ｐ５１（鍵状部Ｊｈ２１）は１箇所のみとし、これに対応してスイッチＳＷを１つのみ設ける場合を例示したが、これら鍵状部Ｊｈ２１・スイッチＳＷを複数組とすれば、ＩＤとして記憶可能な情報量をさらに増やすことができる。
このように鍵状部Ｊｈ２１・スイッチＳＷを複数組とする場合、システムコントローラ１０としては、例えば複数設けられたスイッチＳＷからの電気信号について図２３におけるステップＳ４０１〜Ｓ４０７までの処理を並行して行って、各鍵状部Ｊｈ２１ごとの凹凸の個数をカウントする。そして、ステップＳ４０８のＩＤ取得処理では、これら各鍵状部Ｊｈ２１ごとの凹凸の個数の情報からＩＤ情報を取得するようにする。
【０１２９】
また、この実施例７では、スイッチＳＷにおける接点部がメカニカルな機構を有しているため、構造パターン検出部１２の検出信号から凹凸個数のカウントを行うとき、実際にはチャタリング防止のための処理を追加するのが好ましいものとなる。
【０１３０】
[まとめ]
以上で説明してきたように、本実施の形態によれば、ヘッドフォン２０の種別に応じて、そのヘッドフォン２０に対応して設定されるべきＮＣフィルタ４ａのフィルタ特性を可変的に設定することができる。
これにより、ノイズキャンセリング機能を有する音響再生システムとして、使用するヘッドフォン２０を自由に変更可能な優れたシステムを実現することができる。
【０１３１】
そして、本実施の形態によれば、使用するヘッドフォン２０に応じたフィルタ特性の可変設定は、ヘッドフォン２０側に記憶させたＩＤ情報に基づき自動的に行うことができる。このことで、例えばユーザ操作に基づき使用するヘッドフォン２０の別を選択させる場合と比較して、ユーザの操作負担を軽減した利便性の高いシステムを実現することができる。また、これと共に、ユーザの勘違い等で実際に使用されるヘッドフォン２０とは別のヘッドフォン２０が選択されて、適正なノイズキャンセリング効果を得ることができなくなってしまうといった事態の発生を効果的に防止することができる。
【０１３２】
また、各実施例について見ると、実施例２として、導電板Ｅｈを用いる手法は、例えば実施例１のようにマイク信号やオーディオ信号を主とするアナログ信号と、システムコントローラ１０を主とするデジタル信号部が混在しない点から、ノイズ発生の防止を図ることができるというメリットがある。また、この実施例２は、ＩＤ情報の記憶にあたりプラグ部２０Ａ側において導電板Ｅｈを貼り付けるだけでよいものとでき、この点で製造工程の簡素化できるというメリットもある。
【０１３３】
また、実施例７として、鍵状部Ｊｈにより記憶されたＩＤを読み取る手法では、１つの形成位置Ｐで表現可能な値は「０，１」の２値よりも多くできることから、他の実施例と比較した場合、ＩＤとして記憶させることのできる情報量はその分多くすることができる。
また、実施例７の場合、プラグ部２０Ａの接続は、図２３におけるステップＳ４０１の処理によって検出することができる。この点で、実施例７においては、図４（図７）に示したプラグ接続有無検出部１１は省略することができる。
【０１３４】
また、同様に実施例５においても、プラグ部２０Ａの接続に応じて中間電位Ｖmidに応じた電位が検出端子Ｔｐ-DTに得られるので、例えば該検出端子Ｔｐ-DTの通電の有無などを検出することで、プラグ部２０Ａの接続の有無を検出することができる。つまり、この実施例５としてもプラグ接続有無検出部１１は省略することが可能である。
【０１３５】
[変形例]
以上、本発明の実施の形態について説明したが、本発明としてはこれまでに説明した具体例に限定されるべきものではない。
例えばこれまでの説明では、形成位置Ｐを最大で３箇所までとする場合のみを例示したが、形成位置Ｐの設定数については特に限定されるものではない。
【０１３６】
ここで、形成位置Ｐの設定数を増やせば、より多くのビット数による情報を記憶させることができる。このように形成位置Ｐを増やした場合には、ＩＤ情報として、ヘッドフォン２０の機種の別を表す情報のみならず、例えば機種ごとの特性のバラツキを識別するための情報も含ませることもできる。具体的な例としては、例えば下位数ビットには機種の別を表す情報を、上位数ビットにはそのヘッドフォン２０の個体ごとの特性の別を表す情報を格納するといったものである。
ここで、機種ごとの特性バラツキとしては、例えばドライバDRVの感度、マイクMICの感度、周波数特性の形状などを挙げることができる。例えばドライバDRVやマイクMICの感度について大まかに「大・中・小」の区分を定義し、周波数特性の形状についても大まかに数タイプ程度の区分を定義しておく。製造時における所要のタイミングで、ヘッドフォン２０についてこれらの特性の測定を行っておき、ヘッドフォン２０ごとに、各特性がどの区分に属するか分別しておく。この場合の各ヘッドフォン２０には、機種の別の情報と共に、このような測定結果に基づく各特性の区分の情報も含めた情報を、ＩＤ情報として物理的構造パターンにより記憶させる。
オーディオプレイヤ１側では、ＩＤ−フィルタ特性対応情報９ａとして、上記のように各機種の別と共に各特性の別も識別するためのＩＤ情報と、それらのＩＤ情報ごと、すなわち各機種・各特性の組み合わせごとに対応して設定されるべきフィルタ特性の情報とを対応づけた情報を格納しておく。
なお、この場合も取得したＩＤ情報に基づきＮＣフィルタ４ａのフィルタ特性を変更設定する処理については、各実施例で説明したものと同様とすればよい。
このようにすることで、同一機種のヘッドフォン２０について、さらにその個体ごとの特性バラツキをも考慮したフィルタ特性の変更設定を行うことができる。
【０１３７】
或いは、上記のようにＩＤ情報として記憶させた例えばドライバDRV感度の別、マイクMIC感度の別の情報に応じては、これらを補正するようにゲイン調整を行うようにしてもよい。このようなゲイン調整（補正）については、ＤＳＰ４におけるデジタルゲイン調整、或いはアナログ信号に対するアナログゲイン調整の何れによっても実現できる。
【０１３８】
また、これまでの説明では、オーディオプレイヤ１側のジャック部１Ａに対して位置決め部Ｘを設ける場合を例示したが、例えば実施例５において、この位置決め部Ｘは省略することが可能である。つまり、実施例５において、ヘッドフォン２０側の検出端子Ｔｈ-DTの形成位置を図１７に示す位置から変更して、例えばオーディオ入力端子Ｔｈ-Aやマイク出力端子Ｔｈ-Mと同軸上にリング状で形成すれば、位置決め部Ｘは特に不要することができる（この場合、グランド端子Ｔｈ-GNDもリング状とすることになるのは言うまでもない）。
また、他の実施例においても、各形成位置Ｐの配置について工夫することで、位置決め部Ｘは適宜不要とすることができる。例えば実施例１、実施例２、実施例６などにおいても、各形成位置Ｐ（及びグランド端子Ｔｈ-GND）をオーディオ入力端子Ｔｈ-Aなどと同軸上にそれぞれ独立したリング状で形成すれば、位置決め部Ｘは不要とすることができる。
或いは実施例７においても、鍵状部Ｊｈ２１が１つとされる場合は、その凹部・凸部をそれぞれリング状に形成すれば位置決め部Ｘは特に不要である。
【０１３９】
また、これまでの説明においては、プラグ部２０Ａが引き抜かれたときの動作については特に言及しなかったが、プラグ部２０Ａが抜かれたことが検出された場合、オーディオデータを再生中であったときには、その再生を一時停止するようにすることもできる。
【０１４０】
また、プラグ部２０Ａが接続された際には、フィルタ特性の変更設定が行われるので、その間は再生を一時停止させることもできる。つまりその場合、システムコントローラ１０は、プラグ接続に応じてストレージ部２・再生処理部３を制御して再生を一時停止させた上で、各実施例において説明したフィルタ特性の変更設定処理を実行する。そして、ＤＳＰ４からのフィルタ特性設定完了の通知に応じて、再生を再開させるようにする。
【０１４１】
また、これまでの説明では、ノイズキャンセリングのための信号特性を与えるフィルタ（ＮＣフィルタ）がデジタルフィルタで構成される場合を例示したが、ＮＣフィルタはアナログフィルタで構成することもできる。
【０１４２】
また、これまでの説明では、ヘッドフォン装置に記憶されたＩＤ情報に基づいてノイズキャンセリングのためのフィルタ特性を変更するものとしたが、ＩＤ情報に基づいてイコライザ４ｂにおけるイコライジング特性（フィルタ特性）を変更するなどといったこともできる。或いは、イコライジング特性以外にも、例えば残響効果など各種の音響効果を与えるフィルタの特性を可変設定することもできる。
【０１４３】
また、これまでの説明では、本発明の信号処理装置がオーディオプレイヤとして構成される場合について例示したが、本発明の信号処理装置としては、例えばノイズキャンセリング機能を備えた携帯電話機など、他の装置形態として実施することもできる。
【図面の簡単な説明】
【０１４４】
【図１】フィードバック方式によるヘッドフォン装置のノイズキャンセリングシステムについてのモデル例を示す図である。
【図２】図１に示したノイズキャンセリングシステムについての特性を示すボード線図である。
【図３】フィードフォワード方式によるヘッドフォン装置のノイズキャンセリングシステムについてのモデル例を示す図である。
【図４】実施の形態の信号処理装置の内部構成を示したブロック図である。
【図５】実施の形態の信号処理装置が対応するヘッドフォン装置の種類について説明するための図である。
【図６】ＩＤ−フィルタ特性対応情報のデータ構造について示した図である。
【図７】実施の形態の信号処理装置と接続されるヘッドフォン装置の内部構成と、信号処理装置における主に上記ヘッドフォン装置との接続部分の内部構成について示した図である。
【図８】ヘッドフォン装置が有するドライバ（スピーカ）とマイクロフォンの配置関係について説明するための図である。
【図９】実施例１−１としての構成について説明するための図である。
【図１０】実施例１−２としての構成について説明するための図である。
【図１１】実施例１としての動作を実現するために実行されるべき処理動作について示したフローチャートである。
【図１２】実施例２の構成について説明するための図である。
【図１３】実施例３の構成について説明するための図である。
【図１４】実施例４の信号処理装置が対応するヘッドフォン装置の構成について説明するための図である。
【図１５】実施例４の信号処理装置の構成について説明するための図である。
【図１６】実施例５の構成について説明するための図である。
【図１７】実施例５の信号処理装置が対応するヘッドフォン装置の構成について説明するための図である。
【図１８】実施例６の構成について説明するための図である。
【図１９】実施例６としての動作を実現するために実行されるべき処理動作について示したフローチャートである。
【図２０】実施例７の信号処理装置が対応するヘッドフォン装置の構成について説明するための図である。
【図２１】実施例７の信号処理装置の構成について説明するための図である。
【図２２】実施例７の信号処理装置における識別情報の読み取り手法について説明するための図として、プラグ部が差し込まれることに応じて構造パターン検出部で得られる電気信号の波形変形を示した図である。
【図２３】実施例７としての動作を実現するために実行されるべき処理動作について示したフローチャートである。
【符号の説明】
【０１４５】
１  オーディオプレイヤ、１Ａ  ジャック部、２  ストレージ部、３  再生処理部、４  ＤＳＰ、５  Ｄ／Ａ変換器、６  パワーアンプ、７  マイクアンプ、８  Ａ／Ｄ変換器、９  メモリ、９ａ  ＩＤ−フィルタ特性対応情報、１０  システムコントローラ、１１  プラグ接続有無検出部、１２  構造パターン検出部、１３  外部通信インタフェース、１４  表示部、Ｔｐ-M  マイク入力端子、Ｔｐ-A  オーディオ出力端子、Ｔｄ  データ通信端子、２０  ヘッドフォン、２０Ａ  プラグ部、Ｔｈ-M  マイク出力端子、Ｔｈ-A  オーディオ入力端子、Ｔｐ-GND,Ｔｈ-GND  グランド端子、MIC  マイクロフォン、DRV  ドライバ、Ｘ  位置決め部、Ｅｐ１〜Ｅｐ３  電極、Ｐ１〜Ｐ３  第１〜第３電極形成位置、Ｅｈ１〜Ｅｈ３  第１〜第３電極、Ｅｐ１１ａ〜Ｅｐ１３ａ、Ｅｐ１１ｂ〜Ｅｐ１３ｂ  電極、Ｐ１１〜Ｐ１３  第１〜第３導電板形成位置、Ｅｈ１１〜Ｅｈ１３  第１〜第３導電板、ＭＳＷ  メカスイッチ、Ｐ２１〜Ｐ２３  第１〜第３突起部形成位置、Ｊｈ１〜Ｊｈ３  第１〜第３突起部、Ｐ３１〜Ｐ３３  第１〜第３凹部形成位置、Ｊｈ１１〜Ｊｈ１３  第１〜第３凹部、ＳＷ  スイッチ、Ｒ１,Ｒ２  抵抗、Ｔｈ-DT,Ｔｐ-DT  検出端子、Ｏｐ-E1〜Ｏｐ-E3  第１〜第３発光部、Ｏｐ-D1〜Ｏｐ-D3  第１〜第３光検出部、Ｐ４１〜Ｐ４３  第１〜第３導光部形成位置、Ｏｈ１〜Ｏｈ３  第１〜第３導光部、Ｐ５１  鍵状部形成位置、Ｊｈ２１  鍵状部
【図１】
2009200902.tif 000010
【図２】
2009200902.tif 000011
【図３】
2009200902.tif 000012
【図４】
2009200902.tif 000013
【図５】
2009200902.tif 000014
【図６】
2009200902.tif 000015
【図７】
2009200902.tif 000016
【図８】
2009200902.tif 000017
【図９】
2009200902.tif 000018
【図１０】
2009200902.tif 000019
【図１１】
2009200902.tif 000020
【図１２】
2009200902.tif 000021
【図１３】
2009200902.tif 000022
【図１４】
2009200902.tif 000023
【図１５】
2009200902.tif 000024
【図１６】
2009200902.tif 000025
【図１７】
2009200902.tif 000026
【図１８】
2009200902.tif 000027
【図１９】
2009200902.tif 000028
【図２０】
2009200902.tif 000029
【図２１】
2009200902.tif 000030
【図２２】
2009200902.tif 000031
【図２３】
2009200902.tif 000032